(57)【要約】【課題】プラズマ処理表面などの表面に付着した凍結乾燥物などの固体組成物、ならびに関連する方法、使用、キット、中間体、出発物質、および下流生成物を提供すること。【解決手段】プラズマ処理表面に付着した固体組成物を調製する方法が本明細書に開示され、方法は、プラズマ処理表面上で溶液を乾燥させることと、溶液から固体組成物を形成することとを含み、固体組成物は、プラズマ処理表面に付着する。いくつかの実施形態では、プラズマ処理表面は、冷陰極放電、中空陰極放電、ＤＣ誘導放電、高周波（ＲＦ）誘導放電、コロナ放電、グロー放電、または荷電粒子ビームで処理された表面である。【選択図】なし【特許請求の範囲】
【請求項１】
本明細書に記載の発明。
【発明の詳細な説明】
【技術分野】
【０００１】
関連出願の相互参照
本出願は、２０１６年９月３０日に出願された仮出願第６２／４０２，４４６号に対す
る米国特許法第１１９条（ｅ）に基づく優先権の利益を主張し、その内容全体は、参照に
より本明細書に組み込まれる。
【発明の概要】
【０００２】
固体組成物は、必ずしも表面に強く付着するわけではない。十分な付着力の欠如は、化
学的、薬学的、または生化学的反応またはアッセイを実施するための固体医薬組成物また
は試薬を提供するような分野において、組成物が出荷または取扱い中に転位するか、また
は緩む可能性があるという問題になり得る。転位した、または緩んだ組成物は、一定量の
再構成液体が器具に分注され、組成物の一部または全部がもはや再構成が生じる槽の底部
またはその付近に付着しない場合など、再構成を複雑にするか、または阻止する可能性が
ある。組成物を液体状態に完全に再構成できないことは、アッセイ性能に悪影響を及ぼす
可能性がある。
【０００３】
例えば、化学的もしくは生化学的反応またはアッセイを実施するための充填試薬または
試薬を含む組成物は、プラズマ処理表面に付着した固体組成物として提供される。表面の
プラズマ処理が、液体溶液を乾燥させることによって形成される固体組成物の表面への付
着を改善することができること、およびプラズマ処理が、槽の底部またはその付近の表面
などの表面からの固体組成物の転位または緩みを防止するか、またはその頻度を低減する
ことができることがわかっている。特定の理論に束縛されるものではないが、プラズマ処
理は、表面の親水性、したがってその湿潤性を高め、試薬と表面との相互作用を強化し得
、強化された相互作用は、乾燥プロセス、例えば凍結乾燥後も持続する。
【０００４】
本開示は、凍結乾燥ペレットなどの固体組成物のプラスチックなどの表面への付着が、
固体組成物が表面と接触する前に表面のプラズマ処理によって強化され得るという洞察に
一部基づいている。したがって、本明細書に開示される組成物、方法、およびキットは、
出荷および取扱いなどのプロセス中に生じる可能性がある撹拌を乗り切るための改善され
た能力を有する製品を提供することができる。
【０００５】
したがって、プラズマ処理表面に付着した固体組成物を調製する方法が本明細書に開示
され、方法は、プラズマ処理表面上で溶液を乾燥させることと、溶液から固体組成物を形
成することとを含み、固体組成物は、プラズマ処理表面に付着する。
【０００６】
いくつかの実施形態では、プラズマ処理表面は、冷陰極放電、中空陰極放電、ＤＣ誘導
放電、高周波（ＲＦ）誘導放電、コロナ放電、グロー放電、または荷電粒子ビームで処理
された表面である。いくつかの実施形態では、プラズマ処理表面は、コロナ放電処理表面
である。いくつかの実施形態では、方法は、約２５ワット／分／ｍ２〜約２０００ワット
／分／ｍ２、約５０ワット／分／ｍ２〜約１５００ワット／分／ｍ２、約１００〜約１２
００ワット／分／ｍ２、約２００〜約１０００ワット／分／ｍ２、約１００〜約６００ワ
ット／分／ｍ２、または約２００ワット／分／ｍ２〜約６００ワット／分／ｍ２の範囲の
ワット密度において、コロナ放電で表面を処理することによって、プラズマ処理表面を調
製することを含む。いくつかの実施形態では、表面は、約２５ワット／分／ｍ２〜約２０
００ワット／分／ｍ２、約５０ワット／分／ｍ２〜約１５００ワット／分／ｍ２、約１０
０〜約１２００ワット／分／ｍ２、約２００〜約１０００ワット／分／ｍ２、約１００〜
約６００ワット／分／ｍ２、または約２００ワット／分／ｍ２〜約６００ワット／分／ｍ
２の範囲のワット密度において、コロナ放電で処理された。いくつかの実施形態では、（
ｉ）プラズマ処理表面は、約３３〜約４５ダイン、約３５〜約４２ダイン、もしくは約３
７〜約４０ダインの範囲の表面エネルギーを有し、任意に、表面は、ポリオレフィンを含
むか、または（ｉｉ）プラズマ処理表面は、約３５〜約５５ダイン、約３７〜約５３ダイ
ン、もしくは約４０〜約５０ダインの範囲の表面エネルギーを有し、任意に、表面は、ポ
リエチレンもしくはポリプロピレンを含む。いくつかの実施形態では、プラズマ処理表面
は、同じ組成の未処理表面と比較して表面エネルギーの増加を有し、表面エネルギーの増
加は、約３〜約２０ダイン、約４〜約１５ダイン、約５〜約１２ダイン、または約６〜約
１０ダインの範囲である。
【０００７】
いくつかの実施形態では、乾燥は、蒸発、脱水、乾燥（ｄｅｓｉｃｃａｔｉｎｇ）、凍
結乾燥、昇華、および噴霧乾燥のうちの少なくとも１つを含む。いくつかの実施形態では
、溶液は、乾燥ステップの少なくとも一部の間に凍結される。いくつかの実施形態では、
乾燥は、凍結乾燥を含む。いくつかの実施形態では、溶液は、乾燥ステップの少なくとも
一部の間に液体である。いくつかの実施形態では、乾燥は、真空下で生じる。いくつかの
実施形態では、乾燥は、約３０℃を超える温度で生じる。いくつかの実施形態では、溶液
は、乾燥前に、約５μＬ〜約２０ｍＬ、約２００μＬ〜約２０ｍＬ、約１ｍＬ〜約２０ｍ
Ｌ、約５ｍＬ〜約２０ｍＬ、約５μＬ〜約１ｍＬ、約５μＬ〜約５００μＬ、約５μＬ〜
約２００μＬ、約５μＬ〜約１００μＬ、約５μＬ〜約５０μＬ、約５μＬ〜約２０μＬ
、約５μＬ〜約１０μＬ、約１０μＬ〜約２００μＬ、約２０μＬ〜約２００μＬ、約５
０μＬ〜約２００μＬ、または約１００μＬ〜約２００μＬの範囲の体積を有する。
【０００８】
いくつかの実施形態では、プラズマ処理表面は、プラズマ処理槽の内部表面である。い
くつかの実施形態では、プラズマ処理表面は、プラスチックを含む。いくつかの実施形態
では、プラスチックは、ポリエチレン、ポリエチレンテレフタレート、ポリプロピレン、
ポリメタクリレート、ポリ塩化ビニル、ポリスチレン、ポリオレフィン、ポリカーボネー
ト、ポリウレタン、デンプン由来プラスチック、または環状オレフィンコポリマーのうち
の少なくとも１つを含む。いくつかの実施形態では、プラスチックは、環状オレフィンコ
ポリマーを含む。
【０００９】
いくつかの実施形態では、溶液は、水を含む。いくつかの実施形態では、溶液は、極性
有機溶媒を含む。前記極性有機溶媒が、エタノール、イソプロパノール、ＤＭＳＯ、また
はグリセロールのうちの少なくとも１つを含む、請求項２０に記載の方法。いくつかの実
施形態では、溶液は、非極性有機溶媒を含む。
【００１０】
いくつかの実施形態では、溶液は、充填剤を含む。いくつかの実施形態では、充填剤は
、糖類を含む。いくつかの実施形態では、充填剤は、スクロース、マンニトール、グリシ
ン、ヒドロキシエチルデンプン、ラフィノース、またはトレハロースのうちの少なくとも
１つを含むか、あるいは、充填剤は、スクロース、マンニトール、ラフィノース、または
トレハロースから選択される糖類である。
【００１１】
いくつかの実施形態では、溶液は、１つ以上の酵素を含む。いくつかの実施形態では、
１つ以上の酵素は、ＤＮＡポリメラーゼ、ＲＮＡポリメラーゼ、リガーゼ、キナーゼ、ホ
スファターゼ、プロテアーゼ、エキソヌクレアーゼ、およびエンドヌクレアーゼのうちの
少なくとも１つを含む。いくつかの実施形態では、１つ以上の酵素は、熱安定性ＤＮＡポ
リメラーゼを含む。いくつかの実施形態では、熱安定性ＤＮＡポリメラーゼは、ホットス
タート熱安定性ＤＮＡポリメラーゼであるか、または抗体と複合化している。いくつかの
実施形態では、１つ以上の酵素は、約０．２０Ｕ／ｕＬ〜約０．７２Ｕ／ｕＬまたは約０
．１Ｕ／ｕＬ〜約０．６Ｕ／ｕＬの濃度で前記溶液中に存在するＤＮＡ依存性ポリメラー
ゼ、逆転写酵素、または他の酵素を含む。
【００１２】
いくつかの実施形態では、溶液は、緩衝剤を含む。いくつかの実施形態では、緩衝剤は
、有機緩衝剤である。
【００１３】
いくつかの実施形態では、溶液は、約５ｍＭ以下の無機塩濃度を有する。いくつかの実
施形態では、溶液は、無機塩を含まない。いくつかの実施形態では、溶液は、塩を含む。
【００１４】
いくつかの態様では、溶液は、分子アッセイを実施するのに有用な少なくとも１つのオ
リゴヌクレオチドを含む。いくつかの実施形態では、少なくとも１つのオリゴヌクレオチ
ドは、増幅オリゴマーおよびプローブから選択される。いくつかの実施形態では、オリゴ
ヌクレオチドは、標識を含む。いくつかの実施形態では、標識は、蛍光、化学発光、親和
性、または放射性標識である。
【００１５】
いくつかの実施形態では、溶液は、１つ以上のヌクレオシド三リン酸を含む。いくつか
の実施形態では、溶液は、１つ以上のデオキシヌクレオシド三リン酸を含む。いくつかの
実施形態では、溶液は、ｄＡＴＰ、ｄＧＴＰ、ｄＣＴＰ、ならびにｄＴＴＰおよびｄＵＴ
Ｐのうちの少なくとも１つを含む。いくつかの実施形態では、１つ以上のヌクレオシド三
リン酸のうちの少なくとも１つは、溶液中に約０．１ｍＭ〜約０．３ｍＭまたは約０．２
ｍＭ〜約０．６ｍＭの範囲の量で存在する。いくつかの実施形態では、溶液は、捕捉プロ
ーブおよび加水分解プローブから選択される少なくとも１つのプローブを含む。
【００１６】
いくつかの実施形態では、溶液は、ＲＮａｓｅ阻害剤を含む。いくつかの実施形態では
、ＲＮａｓｅ阻害剤は、約０．１２Ｕ／μＬ〜約０．２０Ｕ／μＬの濃度で溶液中に存在
する。
【００１７】
いくつかの実施形態では、溶液は、キレート剤を含む。いくつかの実施形態では、キレ
ート剤は、ＥＤＴＡ、ＥＤＤＳ、またはＭＧＤＡである。いくつかの実施形態では、キレ
ート剤は、約１．５ｍＭ〜約２．０ｍＭの濃度で溶液中に存在する。
【００１８】
いくつかの実施形態では、溶液は、洗剤を含む。いくつかの実施形態では、洗剤は、非
イオン性、陽イオン性、陰イオン性、または双性イオン性洗剤である。
【００１９】
いくつかの実施形態では、溶液は、単回単位用量の増幅試薬を含有する。いくつかの実
施形態では、溶液は、単回単位用量の検出試薬を含有する。いくつかの実施形態では、溶
液は、薬学的に活性な薬剤を含有する。
【００２０】
いくつかの実施形態では、方法は、乾燥ステップの前に、プラズマ処理表面上に溶液を
分注することを含む。いくつかの実施形態では、方法は、分注ステップの前に、表面をプ
ラズマ処理してプラズマ処理表面を形成することを含む。いくつかの実施形態では、方法
は、乾燥ステップの後に、プラズマ処理表面を含む槽内に固体組成物を密封することを含
む。
【００２１】
環状オレフィンコポリマー表面の凹面に液体または凍結溶液を含有する環状オレフィン
コポリマー表面も提供され、環状オレフィンコポリマー表面は、約３５ダイン〜約５５ダ
インの表面エネルギーまたは約５°〜約５０°の接触角を有し、液体または凍結溶液は、
糖類を含む。
【００２２】
いくつかの実施形態では、液体または凍結溶液は、水を含む。いくつかの実施形態では
、液体または凍結溶液は、極性有機溶媒を含む。いくつかの実施形態では、極性有機溶媒
は、エタノール、イソプロパノール、ＤＭＳＯ、またはグリセロールのうちの少なくとも
１つを含む。いくつかの実施形態では、液体または凍結溶液は、無極性有機溶媒を含む。
【００２３】
いくつかの実施形態では、液体または凍結溶液は、１つ以上の酵素を含む。いくつかの
実施形態では、１つ以上の酵素は、ＤＮＡポリメラーゼ、ＲＮＡポリメラーゼ、リガーゼ
、キナーゼ、ホスファターゼ、プロテアーゼ、エキソヌクレアーゼ、およびエンドヌクレ
アーゼのうちの少なくとも１つを含む。
【００２４】
いくつかの実施形態では、液体または凍結溶液は、緩衝剤を含む。いくつかの実施形態
では、液体または凍結溶液は、無機塩を含まないか、または約５ｍＭ以下の無機塩濃度を
有する。いくつかの実施形態では、液体または凍結溶液は、塩を含む。
【００２５】
いくつかの実施形態では、液体または凍結溶液は、分子アッセイを実施するのに有用な
少なくとも１つのオリゴヌクレオチドを含む。いくつかの実施形態では、液体または凍結
溶液は、１つ以上のヌクレオシド三リン酸を含む。
【００２６】
いくつかの実施形態では、溶液は、液体である。いくつかの実施形態では、溶液は、凍
結している。
【００２７】
プラズマ処理された環状オレフィンコポリマー表面に付着した固体組成物も提供され、
固体組成物は、環状オレフィンコポリマー表面の凹面内にあり、凹面は、約９０度〜約６
０度の壁角を有し、固体組成物は、約６００マイクログラム〜約１００ｍｇの質量を有し
、糖類を含み、固体組成物を含有する環状オレフィンコポリマー表面が最大約４８０ｍｍ
の高さからステンレス鋼表面上に落とされるパッケージ性能試験後に、固体組成物は、環
状オレフィンコポリマー表面に実質的に付着したままであるように十分に付着している。
プラズマ処理表面に付着した固体組成物も提供され、プラズマ処理表面に付着した固体組
成物は、本明細書に開示される方法によって産生される。プラズマ処理表面に付着した固
体組成物も提供され、固体組成物は、充填剤と、酵素およびオリゴヌクレオチドのうちの
少なくとも１つとを含む。
【００２８】
いくつかの実施形態では、プラズマ処理表面は、プラスチックを含む。いくつかの実施
形態では、プラスチックは、ポリエチレン、ポリエチレンテレフタレート、ポリプロピレ
ン、ポリメタクリレート、ポリ塩化ビニル、ポリスチレン、ポリオレフィン、ポリカーボ
ネート、ポリウレタン、デンプン由来プラスチック、または環状オレフィンコポリマーの
うちの少なくとも１つを含む。いくつかの実施形態では、プラスチックは、環状オレフィ
ンコポリマーを含む。
【００２９】
いくつかの実施形態では、充填剤は、糖類、グリシン、またはヒドロキシエチルデンプ
ンを含む。いくつかの実施形態では、糖類は、スクロース、マンニトール、ラフィノース
、またはトレハロースのうちの少なくとも１つを含む。いくつかの実施形態では、固体組
成物は、プラズマ処理表面を含む槽内にある。
【００３０】
いくつかの実施形態では、槽は、約１０μＬ〜約６０ｍＬの範囲の体積を有する管を含
む。いくつかの実施形態では、槽は、複数のウェルを含むマルチウェルプレートである。
【００３１】
いくつかの実施形態では、固体組成物は、約５ｍｇ〜約２０ｇ、約２００ｍｇ〜約２０
ｇ、約１ｇ〜約２０ｇ、約５ｇ〜約２０ｇ、約５ｍｇ〜約１ｇ、約５ｍｇ〜約５００ｍｇ
、約５ｍｇ〜約２００ｍｇ、約５ｍｇ〜約１００ｍｇ、約５ｍｇ〜約５０ｍｇ、約５ｍｇ
〜約２０ｍｇ、約５ｍｇ〜約１０ｍｇ、約１０ｍｇ〜約２００ｍｇ、約２０ｍｇ〜約２０
０ｍｇ、約５０ｍｇ〜約２００ｍｇ、または約１００ｍｇ〜約２００ｍｇの範囲の質量を
有する。
【００３２】
いくつかの実施形態では、固体組成物は、１つ以上の酵素を含む。いくつかの実施形態
では、１つ以上の酵素は、ＤＮＡポリメラーゼ、ＲＮＡポリメラーゼ、リガーゼ、キナー
ゼ、ホスファターゼ、プロテアーゼ、エキソヌクレアーゼ、およびエンドヌクレアーゼの
うちの少なくとも１つを含む。
【００３３】
いくつかの実施形態では、固体組成物は、緩衝剤を含む。いくつかの実施形態では、固
体組成物は、塩を含む。いくつかの実施形態では、固体組成物は、無機塩を含まないか、
または約５ｍＭ以下の無機塩濃度を有する。
【００３４】
いくつかの実施形態では、固体組成物は、分子アッセイを実施するのに有用な少なくと
も１つのオリゴヌクレオチドを含む。いくつかの実施形態では、固体組成物は、１つ以上
のヌクレオシド三リン酸を含む。いくつかの実施形態では、固体組成物は、単回単位用量
の増幅または検出試薬を含有する。いくつかの実施形態では、固体組成物は、薬学的に活
性な薬剤を含有する。
【００３５】
再構成液体と本明細書に開示の固体組成物とを含むキットも提供される。混合物を形成
する方法もまた提供され、方法は、再構成液体および本明細書に開示される固体組成物を
組み合わせることによって、再構成組成物を形成することを含む。
【００３６】
いくつかの実施形態では、再構成液体は、水、極性有機溶媒、および無極性有機溶媒の
うちの少なくとも１つを含む。いくつかの実施形態では、再構成液体は、水を含む。いく
つかの実施形態では、再構成液体は、少なくとも１つの無機塩を含む。
【００３７】
いくつかの実施形態では、本明細書に開示される方法は、核酸を添加することをさらに
含み、核酸は、少なくとも１つの核酸修飾またはハイブリダイゼーション反応を受ける。
いくつかの実施形態では、核酸修飾またはハイブリダイゼーション反応は、核酸合成また
は増幅を含む。いくつかの態様では、核酸修飾またはハイブリダイゼーション反応は、プ
ローブを核酸にハイブリダイズして、ハイブリダイズされた複合体を形成することを含む
。
【００３８】
いくつかの実施形態では、本明細書に開示される方法は、プローブのハイブリダイズさ
れた複合体または核溶解を検出することをさらに含む。
【００３９】
セクションの見出しは、読者の便宜のために提供されており、本開示を制限するものと
して解釈されるべきではない。
特定の実施形態において、例えば、以下が提供される：
（項目１）
プラズマ処理表面に付着した固体組成物を調製する方法であって、前記方法が、前記プラズマ処理表面上で溶液を乾燥することと、前記溶液から固体組成物を形成することとを含み、前記固体組成物が、前記プラズマ処理表面に付着する、方法。
（項目２）
前記プラズマ処理表面が、冷陰極放電、中空陰極放電、ＤＣ誘導放電、高周波（ＲＦ）誘導放電、コロナ放電、グロー放電、または荷電粒子ビームで処理された表面である、項目１に記載の方法。
（項目３）
前記プラズマ処理表面が、コロナ放電処理表面である、項目１または２に記載の方法。（項目４）
前記方法が、約２５ワット／分／ｍ２〜約２０００ワット／分／ｍ２、約５０ワット／分／ｍ２〜約１５００ワット／分／ｍ２、約１００〜約１２００ワット／分／ｍ２、約２００〜約１０００ワット／分／ｍ２、約１００〜約６００ワット／分／ｍ２、または約２００ワット／分／ｍ２〜約６００ワット／分／ｍ２の範囲のワット密度において、コロナ放電で表面を処理することによって、前記プラズマ処理表面を調製することを含む、項目３に記載の方法。
（項目５）
前記表面が、約２５ワット／分／ｍ２〜約２０００ワット／分／ｍ２、約５０ワット／分／ｍ２〜約１５００ワット／分／ｍ２、約１００〜約１２００ワット／分／ｍ２、約２００〜約１０００ワット／分／ｍ２、約１００〜約６００ワット／分／ｍ２、または約２００ワット／分／ｍ２〜約６００ワット／分／ｍ２の範囲のワット密度において、コロナ放電で処理された、項目３に記載の方法。
（項目６）
（ｉ）前記プラズマ処理表面が、約３３〜約４５ダイン、約３５〜約４２ダイン、もしくは約３７〜約４０ダインの範囲の表面エネルギーを有し、任意に、前記表面が、ポリオレフィンを含むか、または（ｉｉ）前記プラズマ処理表面が、約３５〜約５５ダイン、約３７〜約５３ダイン、もしくは約４０〜約５０ダインの範囲の表面エネルギーを有し、任意に、前記表面が、ポリエチレンもしくはポリプロピレンを含む、項目１〜５のいずれか１項に記載の方法。
（項目７）
前記プラズマ処理表面が、同じ組成の未処理表面と比較して表面エネルギーの増加を有し、前記表面エネルギーの増加が、約３〜約２０ダイン、約４〜約１５ダイン、約５〜約１２ダイン、または約６〜約１０ダインの範囲である、項目１〜６のいずれか１項に記載の方法。
（項目８）
前記乾燥が、蒸発、脱水、乾燥（ｄｅｓｉｃｃａｔｉｎｇ）、凍結乾燥、昇華、および噴霧乾燥のうちの少なくとも１つを含む、項目１〜７のいずれか１項に記載の方法。
（項目９）
前記溶液が、前記乾燥ステップの少なくとも一部の間に凍結される、項目１〜８のいずれか１項に記載の方法。
（項目１０）
前記乾燥が、凍結乾燥を含む、項目１〜９のいずれか１項に記載の方法。
（項目１１）
前記溶液が、前記乾燥ステップの少なくとも一部の間に液体である、項目１〜１０のいずれか１項に記載の方法。
（項目１２）
前記乾燥が、真空下で生じる、項目１〜１１のいずれか１項に記載の方法。
（項目１３）
前記乾燥が、約３０℃を超える温度で生じる、項目１〜１２のいずれか１項に記載の方法。
（項目１４）
前記溶液が、乾燥前に、約５μＬ〜約２０ｍＬ、約２００μＬ〜約２０ｍＬ、約１ｍＬ〜約２０ｍＬ、約５ｍＬ〜約２０ｍＬ、約５μＬ〜約１ｍＬ、約５μＬ〜約５００μＬ、約５μＬ〜約２００μＬ、約５μＬ〜約１００μＬ、約５μＬ〜約５０μＬ、約５μＬ〜約２０μＬ、約５μＬ〜約１０μＬ、約１０μＬ〜約２００μＬ、約２０μＬ〜約２００μＬ、約５０μＬ〜約２００μＬ、または約１００μＬ〜約２００μＬの範囲の体積を有する、項目１〜１３のいずれか１項に記載の方法。
（項目１５）
前記プラズマ処理表面が、プラズマ処理槽の内部表面である、項目１〜１４のいずれか１項に記載の方法。
（項目１６）
前記プラズマ処理表面が、プラスチックを含む、項目１〜１５のいずれか１項に記載の方法。
（項目１７）
前記プラスチックが、ポリエチレン、ポリエチレンテレフタレート、ポリプロピレン、ポリメタクリレート、ポリ塩化ビニル、ポリスチレン、ポリオレフィン、ポリカーボネート、ポリウレタン、デンプン由来プラスチック、または環状オレフィンコポリマーのうちの少なくとも１つを含む、項目１６に記載の方法。
（項目１８）
前記プラスチックが、環状オレフィンコポリマーを含む、項目１７に記載の方法。
（項目１９）
前記溶液が、水を含む、項目１〜１８のいずれか１項に記載の方法。
（項目２０）
前記溶液が、極性有機溶媒を含む、項目１〜１９のいずれか１項に記載の方法。
（項目２１）
前記極性有機溶媒が、エタノール、イソプロパノール、ＤＭＳＯ、またはグリセロールのうちの少なくとも１つを含む、項目２０に記載の方法。
（項目２２）
前記溶液が、非極性有機溶媒を含む、項目１〜２１のいずれか１項に記載の方法。
（項目２３）
前記溶液が、充填剤を含む、項目１〜２２のいずれか１項に記載の方法。
（項目２４）
前記充填剤が、糖類を含む、項目２３に記載の方法。
（項目２５）
前記充填剤が、スクロース、マンニトール、グリシン、ヒドロキシエチルデンプン、ラフィノース、またはトレハロースのうちの少なくとも１つを含むか、あるいは代替的に、前記充填剤が、スクロース、マンニトール、ラフィノース、またはトレハロースから選択される糖類である、項目２３または２４に記載の方法。
（項目２６）
前記溶液が、１つ以上の酵素を含む、項目１〜２５のいずれか１項に記載の方法。
（項目２７）
前記１つ以上の酵素が、ＤＮＡポリメラーゼ、ＲＮＡポリメラーゼ、リガーゼ、キナーゼ、ホスファターゼ、プロテアーゼ、エキソヌクレアーゼ、およびエンドヌクレアーゼのうちの少なくとも１つを含む、項目２６に記載の方法。
（項目２８）
前記１つ以上の酵素が、熱安定性ＤＮＡポリメラーゼを含む、項目２７に記載の方法。（項目２９）
熱安定性ＤＮＡポリメラーゼが、ホットスタート熱安定性ＤＮＡポリメラーゼであるか、または抗体と複合化している、項目２８に記載の方法。
（項目３０）
前記１つ以上の酵素が、約０．２０Ｕ／ｕＬ〜約０．７２Ｕ／ｕＬまたは約０．１Ｕ／ｕＬ〜約０．６Ｕ／ｕＬの濃度で前記溶液中に存在するＤＮＡ依存性ポリメラーゼ、逆転写酵素、または他の酵素を含む、項目２６または２７に記載の方法。
（項目３１）
前記溶液が、緩衝剤を含む、項目１〜３０のいずれか１項に記載の方法。
（項目３２）
前記緩衝剤が、有機緩衝剤である、項目３１に記載の方法。
（項目３３）
前記溶液が、約５ｍＭ以下の無機塩濃度を有する、項目１〜３２のいずれか１項に記載の方法。
（項目３４）
前記溶液が、無機塩を含まない、項目１〜３３のいずれか１項に記載の方法。
（項目３５）
前記溶液が、塩を含む、項目１〜３４のいずれか１項に記載の方法。
（項目３６）
前記溶液が、分子アッセイを実施するのに有用な少なくとも１つのオリゴヌクレオチドを含む、項目１〜３５のいずれか１項に記載の方法。
（項目３７）
前記少なくとも１つのオリゴヌクレオチドが、増幅オリゴマーおよびプローブから選択される、項目３６に記載の方法。
（項目３８）
前記オリゴヌクレオチドが、標識を含む、項目３６または３７に記載の方法。
（項目３９）
前記標識が、蛍光、化学発光、親和性、または放射性標識である、項目３８に記載の方法。
（項目４０）
前記溶液が、１つ以上のヌクレオシド三リン酸を含む、項目１〜３９のいずれか１項に記載の方法。
（項目４１）
前記溶液が、１つ以上のデオキシヌクレオシド三リン酸を含む、項目４０に記載の方法。
（項目４２）
前記溶液が、ｄＡＴＰ、ｄＧＴＰ、ｄＣＴＰ、ならびにｄＴＴＰおよびｄＵＴＰのうちの少なくとも１つを含む、項目４１に記載の方法。
（項目４３）
前記１つ以上のヌクレオシド三リン酸のうちの少なくとも１つが、前記溶液中に約０．１ｍＭ〜約０．３ｍＭまたは約０．２ｍＭ〜約０．６ｍＭの範囲の量で存在する、項目４０〜４２のいずれか１項に記載の方法。
（項目４４）
前記溶液が、捕捉プローブおよび加水分解プローブから選択される少なくとも１つのプローブを含む、項目１〜４３のいずれか１項に記載の方法。
（項目４５）
前記溶液が、ＲＮａｓｅ阻害剤を含む、項目１〜４４のいずれか１項に記載の方法。
（項目４６）
前記ＲＮａｓｅ阻害剤が、約０．１２Ｕ／μＬ〜約０．２０Ｕ／μＬの濃度で前記溶液中に存在する、項目４５に記載の方法。
（項目４７）
前記溶液が、キレート剤を含む、項目１〜４６のいずれか１項に記載の方法。
（項目４８）
前記キレート剤が、ＥＤＴＡ、ＥＤＤＳ、またはＭＧＤＡである、項目４７に記載の方法。
（項目４９）
前記キレート剤が、約１．５ｍＭ〜約２．０ｍＭの濃度で前記溶液中に存在する、項目４７または４８に記載の方法。
（項目５０）
前記溶液が、洗剤を含む、項目１〜４９のいずれか１項に記載の方法。
（項目５１）
前記洗剤が、非イオン性、陽イオン性、陰イオン性、または双性イオン性洗剤である、項目５０に記載の方法。
（項目５２）
前記溶液が、単回単位用量の増幅試薬を含有する、項目１〜５１のいずれか１項に記載の方法。
（項目５３）
前記溶液が、単回単位用量の検出試薬を含有する、項目１〜５２のいずれか１項に記載の方法。
（項目５４）
前記溶液が、薬学的に活性な薬剤を含有する、項目１〜５３のいずれか１項に記載の方法。
（項目５５）
前記方法が、前記乾燥ステップの前に、前記プラズマ処理表面上に前記溶液を分注することを含む、項目１〜５４のいずれか１項に記載の方法。
（項目５６）
前記方法が、前記分注ステップの前に、前記プラズマ処理表面を形成するように、表面をプラズマ処理することを含む、項目５５に記載の方法。
（項目５７）
前記乾燥ステップの後に、前記プラズマ処理表面を含む槽内に前記固体組成物を密封することをさらに含む、項目１〜５６のいずれか１項に記載の方法。
（項目５８）
環状オレフィンコポリマー表面の凹面に液体または凍結溶液を含有する環状オレフィンコポリマー表面であって、前記環状オレフィンコポリマー表面が、約３５ダイン〜約５５ダインの表面エネルギーまたは約５°〜約５０°の接触角を有し、前記液体または凍結溶液が、糖類を含む、環状オレフィンコポリマー表面。
（項目５９）
前記液体または凍結溶液が、水を含む、項目５８に記載の表面。
（項目６０）
前記液体または凍結溶液が、極性有機溶媒を含む、項目５８または５９に記載の表面。（項目６１）
前記極性有機溶媒が、エタノール、イソプロパノール、ＤＭＳＯ、またはグリセロールのうちの少なくとも１つを含む、項目６０に記載の表面。
（項目６２）
前記液体または凍結溶液が、非極性有機溶媒を含む、項目５８〜６１のいずれか１項に記載の表面。
（項目６３）
前記液体または凍結溶液が、１つ以上の酵素を含む、項目５８〜６２のいずれか１項に記載の表面。
（項目６４）
前記１つ以上の酵素が、ＤＮＡポリメラーゼ、ＲＮＡポリメラーゼ、リガーゼ、キナーゼ、ホスファターゼ、プロテアーゼ、エキソヌクレアーゼ、およびエンドヌクレアーゼのうちの少なくとも１つを含む、項目６３に記載の表面。
（項目６５）
前記液体または凍結溶液が、緩衝剤を含む、項目５８〜６４のいずれか１項に記載の表面。
（項目６６）
前記液体または凍結溶液が、無機塩を含まないか、または約５ｍＭ以下の無機塩濃度を有する、項目５８〜６５のいずれか１項に記載の表面。
（項目６７）
前記液体または凍結溶液が、塩を含む、項目５８〜６６のいずれか１項に記載の表面。（項目６８）
前記液体または凍結溶液が、分子アッセイを実施するのに有用な少なくとも１つのオリゴヌクレオチドを含む、項目５８〜６７のいずれか１項に記載の表面。
（項目６９）
前記液体または凍結溶液が、１つ以上のヌクレオシド三リン酸を含む、項目５８〜６８のいずれか１項に記載の表面。
（項目７０）
前記溶液が、液体である、項目５８〜６９のいずれか１項に記載の表面。
（項目７１）
前記溶液が、凍結している、項目５８〜６９のいずれか１項に記載の表面。
（項目７２）
プラズマ処理された環状オレフィンコポリマー表面に付着した固体組成物であって、前記固体組成物が、前記環状オレフィンコポリマー表面の凹面内にあり、前記凹面が、約９０度〜約６０度の壁角を有し、前記固体組成物が、約６００マイクログラム〜約１００ｍｇの質量を有し、糖類を含み、前記固体組成物を含有する前記環状オレフィンコポリマー表面が、最大約４８０ｍｍの高さからステンレス鋼表面上に落とされるパッケージ性能試験後に、前記固体組成物が、前記環状オレフィンコポリマー表面に実質的に付着したままであるように十分に付着している、固体組成物。
（項目７３）
プラズマ処理表面に付着した固体組成物であって、前記プラズマ処理表面に付着した前記固体組成物が、項目１〜５３のいずれか１項に記載の方法によって産生される、固体組成物。
（項目７４）
前記固体組成物が、充填剤と、酵素およびオリゴヌクレオチドのうちの少なくとも１つとを含む、プラズマ処理表面に付着した固体組成物。
（項目７５）
前記プラズマ処理表面が、プラスチックを含む、項目７３または７４に記載の固体組成物。
（項目７６）
前記プラスチックが、ポリエチレン、ポリエチレンテレフタレート、ポリプロピレン、ポリメタクリレート、ポリ塩化ビニル、ポリスチレン、ポリオレフィン、ポリカーボネート、ポリウレタン、デンプン由来プラスチック、または環状オレフィンコポリマーのうちの少なくとも１つを含む、項目７５に記載の固体組成物。
（項目７７）
前記プラスチックが、環状オレフィンコポリマーを含む、項目７５または７６に記載の固体組成物。
（項目７８）
前記充填剤が、糖類、グリシン、またはヒドロキシエチルデンプンを含む、項目７３〜７７のいずれか１項に記載の固体組成物。
（項目７９）
前記糖類が、スクロース、マンニトール、ラフィノース、またはトレハロースのうちの少なくとも１つを含む、項目７２または７８に記載の固体組成物。
（項目８０）
前記固体組成物が、前記プラズマ処理表面を含む槽内にある、項目７２〜７９のいずれか１項に記載の固体組成物。
（項目８１）
前記槽が、約４０μＬ〜約６０ｍＬの範囲の体積を有する管を含む、項目８０に記載の固体組成物。
（項目８２）
前記槽が、複数のウェルを含むマルチウェルプレートである、項目８０に記載の固体組成物。
（項目８３）
前記固体組成物が、約５ｍｇ〜約２０ｇ、約２００ｍｇ〜約２０ｇ、約１ｇ〜約２０ｇ、約５ｇ〜約２０ｇ、約５ｍｇ〜約１ｇ、約５ｍｇ〜約５００ｍｇ、約５ｍｇ〜約２００ｍｇ、約５ｍｇ〜約１００ｍｇ、約５ｍｇ〜約５０ｍｇ、約５ｍｇ〜約２０ｍｇ、約５ｍｇ〜約１０ｍｇ、約１０ｍｇ〜約２００ｍｇ、約２０ｍｇ〜約２００ｍｇ、約５０ｍｇ〜約２００ｍｇ、または約１００ｍｇ〜約２００ｍｇの範囲の質量を有する、項目７２〜８２のいずれか１項に記載の固体組成物。
（項目８４）
前記固体組成物が、１つ以上の酵素を含む、項目７２〜８３のいずれか１項に記載の固体組成物。
（項目８５）
前記１つ以上の酵素が、ＤＮＡポリメラーゼ、ＲＮＡポリメラーゼ、リガーゼ、キナーゼ、ホスファターゼ、プロテアーゼ、エキソヌクレアーゼ、およびエンドヌクレアーゼのうちの少なくとも１つを含む、項目８４に記載の固体組成物。
（項目８６）
前記固体組成物が、緩衝剤を含む、項目７２〜８５のいずれか１項に記載の固体組成物。
（項目８７）
前記固体組成物が、塩を含む、項目７２〜８６のいずれか１項に記載の固体組成物。
（項目８８）
前記固体組成物が、無機塩を含まないか、または約５ｍＭ以下の無機塩濃度を有する、項目７２〜８７のいずれか１項に記載の固体組成物。
（項目８９）
前記固体組成物が、分子アッセイを実施するのに有用な少なくとも１つのオリゴヌクレオチドを含む、項目７２〜８８のいずれか１項に記載の固体組成物。
（項目９０）
前記固体組成物が、１つ以上のヌクレオシド三リン酸を含む、項目７２〜８９のいずれか１項に記載の固体組成物。
（項目９１）
前記固体組成物が、単回単位用量の増幅または検出試薬を含有する、項目７２〜９０のいずれか１項に記載の固体組成物。
（項目９２）
前記固形組成物が、薬学的に活性な薬剤を含有する、項目７２〜９１のいずれか１項に記載の固形組成物。
（項目９３）
再構成液体と、項目７２〜９２のいずれか１項に記載の固体組成物とを含む、キット。
（項目９４）
混合物を形成する方法であって、再構成液体および項目７２〜９２のいずれか１項に記載の固体組成物を組み合わせることによって、再構成組成物を形成することを含む、方法。
（項目９５）
前記再構成液体が、水、極性有機溶媒、および非極性有機溶媒のうちの少なくとも１つを含む、項目９３または９４に記載のキットまたは方法。
（項目９６）
前記再構成液体が、水を含む、項目９５に記載のキットまたは方法。
（項目９７）
前記再構成液体が、少なくとも１つの無機塩を含む、項目９３〜９６のいずれか１項に記載のキットまたは方法。
（項目９８）
核酸を添加することをさらに含み、前記核酸が、少なくとも１つの核酸修飾またはハイブリダイゼーション反応を受ける、項目９４〜９７のいずれか１項に記載の方法。
（項目９９）
前記核酸修飾またはハイブリダイゼーション反応が、核酸合成または増幅を含む、項目９８に記載の方法。
（項目１００）
前記核酸修飾またはハイブリダイゼーション反応が、プローブを前記核酸にハイブリダイズして、ハイブリダイズされた複合体を形成することを含む、項目９９に記載の方法。
（項目１０１）
前記方法が、前記プローブのハイブリダイズされた複合体または核溶解を検出することをさらに含む、項目１００に記載の方法。
【図面の簡単な説明】
【００４０】
【図１】図１は、接触角の測定図であり、θが接触角であり、Ｈが液滴の高さであり、Ｒが液滴幅の半分である。
【図２Ａ】図２Ａ〜２Ｂは、実施例１に記載される未処理ウェルおよびプラズマ処理ウェルにおける凍結乾燥ペレットの落下試験結果を示す。バーの高さは、付着が破壊される前の落下数を示す。
【図２Ｂ】図２Ａ〜２Ｂは、実施例１に記載される未処理ウェルおよびプラズマ処理ウェルにおける凍結乾燥ペレットの落下試験結果を示す。バーの高さは、付着が破壊される前の落下数を示す。
【図３Ａ】図３Ａ〜３Ｂは、実施例２に記載される未処理ウェルおよびプラズマ処理ウェルにおける凍結乾燥ペレットの落下試験結果を示す。バーの高さは、付着が破壊される前の落下数を示す。Ａ
【図３Ｂ】図３Ａ〜３Ｂは、実施例２に記載される未処理ウェルおよびプラズマ処理ウェルにおける凍結乾燥ペレットの落下試験結果を示す。バーの高さは、付着が破壊される前の落下数を示す。Ａ
【発明を実施するための形態】
【００４１】
定義
本教示を詳細に説明する前に、本開示が特定の組成物またはプロセスステップに限定さ
れず、それらは変化し得ることを理解されたい。本明細書および添付の特許請求の範囲で
使用される場合、単数形「ａ」、「ａｎ」、および「ｔｈｅ」が、文脈が明らかにそうで
ないことを指示しない限り、複数の言及を含むことに留意されたい。したがって、例えば
、「充填剤」への言及は、複数の充填剤などを含む。
【００４２】
本開示で考察される温度、濃度、時間などの前に黙示的な「約」があり、これによりわ
ずかで非実質的な偏差は、本明細書の教示の範囲内であることが理解されるであろう。一
般に、「約」という用語は、組成物の活性または安定性に有意な影響を及ぼさない組成物
の成分の量の非実質的な変動を示す。また、「含む（ｃｏｍｐｒｉｓｅ）」、「含む（ｃ
ｏｍｐｒｉｓｅｓ）」、「含むこと（ｃｏｍｐｒｉｓｉｎｇ）」、「含有する（ｃｏｎｔ
ａｉｎ）」、「含有する（ｃｏｎｔａｉｎｓ）」、「含有すること（ｃｏｎｔａｉｎｉｎ
ｇ）」、「含む（ｉｎｃｌｕｄｅ）」、「含む（ｉｎｃｌｕｄｅｓ）」、および「含むこ
と（ｉｎｃｌｕｄｉｎｇ）」の使用は、限定することを意図していない。上記の概要およ
び詳細な説明は両方とも、例示的かつ説明的なものにすぎず、教示を限定するものではな
いことを理解されたい。
【００４３】
特に記述がない限り、様々な構成要素を「含むこと」を列挙する本明細書中の実施形態
は、列挙された構成要素「からなる」または「から本質的になる」とも企図され、様々な
構成要素「からなること」を列挙する本明細書中の実施形態は、列挙された構成要素「を
含む」または「から本質的になる」とも企図され、また、様々な構成要素「から本質的に
なること」を列挙する本明細書中の実施形態は、列挙された構成要素「からなる」または
「を含む」とも企図される（この互換性は、請求項におけるこれらの用語の使用には適用
されない）。
【００４４】
本明細書で使用される場合、表面が撹拌される、例えば振とうされる（例えば、約１〜
３Ｈｚの周波数で手によって）、または反転されるときに、材料が表面に対して目に見え
て移動しない場合、材料は、表面に「付着」していると見なされる。
【００４５】
「充填剤」は、乾燥および貯蔵中にタンパク質および他の試薬の堆積のためのマトリク
スを提供する。（Ｃａｒｐｅｎｔｅｒ  ｅｔ  ａｌ（２００２）Ｒａｔｉｏｎａｌ  ｄｅ
ｓｉｇｎ  ｏｆ  ｓｔａｂｌｅ  ｌｙｏｐｈｉｌｉｚｅｄ  ｐｒｏｔｅｉｎ  ｆｏｒｍｕ
ｌａｔｉｏｎｓ．Ｋｌｕｗｅｒ  Ａｃａｄｅｍｉｃ／Ｐｌｅｎｕｍ，Ｎｅｗ  Ｙｏｒｋ，
ｐｐ．１０９−１３３）。充填剤は、生成物の「ケーキ」または他の構造を形成するため
に使用され得、タンパク質または他の試薬が乾燥中に槽から失われることを防止すること
ができ、タンパク質の安定性を高めることができる。
【００４６】
キレート剤は、ある特定の酵素の活性に必要とされ得る、Ｍｇ２＋またはＭｎ２＋など
の二価イオンを封鎖する薬剤である。
【００４７】
「凹面」は、溶液または溶液から形成された固体組成物を保持するのに好適である表面
の陥凹、ウェル、凹み、または他の特徴である。
【００４８】
「接触角」は、基板の表面と、基板上の液滴の表面に対して三相点で引かれた接線との
間の角度である。図１を参照されたい。接触角θは、式θ＝２（逆正接（Ｈ／Ｒ））に従
って計算され得、式中、Ｈは、液滴の高さであり、Ｒは、液滴幅の半分である。別段の指
示がない限り、液滴は、本明細書で言及される接触角に対して水である。接触角測定は、
ＡＳＴＭ  Ｉｎｔｅｒｎａｔｉｏｎａｌ  Ｓｔａｎｄａｒｄ  Ｄ  ５９４６−０４，“Ｓ
ｔａｎｄａｒｄ  Ｔｅｓｔ  Ｍｅｔｈｏｄ  ｆｏｒ  Ｃｏｒｏｎａ−Ｔｒｅａｔｅｄ  Ｐ
ｏｌｙｍｅｒ  Ｆｉｌｍｓ  Ｕｓｉｎｇ  Ｗａｔｅｒ  Ｃｏｎｔａｃｔ  Ａｎｇｌｅ  Ｍ
ｅａｓｕｒｅｍｅｎｔｓ”（２００４）に詳細に論じられている。接触角測定方法および
装置の考察については、米国特許第５，２６８，７３３号も参照されたい。別段の指示が
ない限り、接触角測定は、水滴を使用して実施される。本明細書で使用される場合、表面
が水と接触したときにその接触角が観察される場合、表面は、ある特定の値またはある特
定の範囲の接触角を有すると見なされる。
【００４９】
本明細書で使用される場合、「第１の」、「第２の」などは、要素の順序付けまたは位
置付けに関していかなる暗示もなく、構造、組成、または方法の要素に関して使用され、
したがって、当業者が文脈から他の理解をしない限り、「第１の」要素は、「第２の」要
素の前方、重複、後方、上、下、前、同時、または後であってもよい。
【００５０】
「凍結乾燥」、「凍結乾燥した」、および「フリーズドライした」という用語は、乾燥
させられる材料が最初に凍結され、次いで氷または凍結溶媒が真空環境での昇華によって
除去されるプロセスを指す。「凍結乾燥物」は、凍結乾燥した物質を指す。
【００５１】
核酸ハイブリダイゼーションに関する用語「ストリンジェントな」（「ストリンジェン
トなハイブリダイゼーション条件」または「ストリンジェントな条件」を含む）は、特定
のオリゴヌクレオチドが試験試料中に存在する他の核酸よりも標的核酸とハイブリダイズ
することが可能である条件を指す。これらの条件が、ＧＣ含量およびオリゴヌクレオチド
の長さ、ハイブリダイゼーション温度、ハイブリダイゼーション試薬または溶液の組成、
ならびに求められるハイブリダイゼーション特異性の程度を含む要因に応じて変化し得る
ことが理解されるであろう。適切なハイブリダイゼーション条件は、プローブ、増幅オリ
ゴヌクレオチド、標的捕捉オリゴヌクレオチド、遮断薬、および他のオリゴヌクレオチド
に関して当該技術分野において周知であり、配列組成に基づき予測され得るか、または日
常的な試験法を使用することによって決定され得る（例えば、Ｓａｍｂｒｏｏｋ  ｅｔ  
ａｌ．，Ｍｏｌｅｃｕｌａｒ  Ｃｌｏｎｉｎｇ，Ａ  Ｌａｂｏｒａｔｏｒｙ  Ｍａｎｕａ
ｌ，２ｎｄ  ｅｄ．（Ｃｏｌｄ  Ｓｐｒｉｎｇ  Ｈａｒｂｏｒ  Ｌａｂｏｒａｔｏｒｙ  
Ｐｒｅｓｓ，Ｃｏｌｄ  Ｓｐｒｉｎｇ  Ｈａｒｂｏｒ，ＮＹ，１９８９）の§§１．９０
−１．９１、７．３７−７．５７、９．４７−９．５１、および１１．４７−１１．５７
、特に§§９．５０−９．５１、１１．１２−１１．１３、１１．４５−１１．４７、お
よび１１．５５−１１．５７）。
【００５２】
増幅オリゴマーは、鋳型依存的複製を支持することができるプライマーまたはプロモー
ター−プライマーである。増幅オリゴマー対は、鋳型の対向鎖の鋳型依存的複製を支持す
るそのようなオリゴマーの対である。多重増幅は、複数の増幅オリゴマー対を同時に用い
て実施される増幅である。
【００５３】
プローブは、増幅産物にハイブリダイズして、増幅産物の存在または量を明らかにする
ことができるオリゴヌクレオチドである。そのようなプローブは、多くの場合、蛍光また
は他の検出可能なシグナルを与える分子を取り込み、その場合、それらは、検出可能に標
識されたプローブと称される。
【００５４】
プライマー−プローブセットは、鋳型核酸からの増幅産物を生成および検出するように
構成されたプライマーおよびプローブの組み合わせである。
【００５５】
「再構成時間」は、乾燥配合物を溶液で再水和して、肉眼では粒子または濁りを含まな
い溶液をもたらすのに必要な時間である。
【００５６】
「単回単位用量」または「ＳＵＤ」は、単一の試料に対してアッセイを実施するために
使用される試薬の量を指す。単回単位用量は、溶液であってもよい。一例として、単回単
位用量は、単一の槽内の単一の試料の増幅に有用な試薬を含有する乾燥ペレットであって
もよい。
【００５７】
本明細書で使用される場合、「または」は、包括的に使用され、すなわち、「Ａまたは
Ｂのうちの１つ以下」という表現などにおいて、明らかに反対の指示がない限り、「およ
び／または」と同等である。
【００５８】
本明細書で使用される場合、「またはそれらの組み合わせ」、「のうちの少なくとも１
つ」、および「のうちの１つ以上」という用語は、その用語の前に列挙された用語の全て
の順列および組み合わせを指す。例えば、「Ａ、Ｂ、Ｃ、またはそれらの組み合わせ」は
、Ａ、Ｂ、Ｃ、ＡＢ、ＡＣ、ＢＣ、またはＡＢＣのうちの少なくとも１つ、また順序が特
定の文脈において重要である場合、ＢＡ、ＣＡ、ＣＢ、ＡＣＢ、ＣＢＡ、ＢＣＡ、ＢＡＣ
、またはＣＡＢも含むよう意図される。この例を続けると、ＢＢ、ＡＡＡ、ＡＡＢ、ＢＢ
Ｃ、ＡＡＡＢＣＣＣＣ、ＣＢＢＡＡＡ、ＣＡＢＡＢＢなどの１つ以上の項目または用語の
繰り返しを含む組み合わせも含まれる。文脈から他に明らかでない限り、典型的には任意
の組み合わせにおける項目または用語の数に制限がないことを当業者は理解するであろう
。
【００５９】
「パッケージ性能試験」は、固体組成物が付着している（例えば、槽の）表面が、ある特定の高さ（例えば、約４８０ｍｍ）から基板（例えば、ステンレス鋼）上に落とされて、表面への固体組成物の付着の程度を判定する試験を指す。固体組成物は、固体組成物の緩くなる可視部分が全くないか、または体積で約５％もしくは約１０％未満が緩くなる（例えば、表面が振とうされたか、または反転されたときに表面に対して移動する）場合、実質的に付着したままであると見なされる。いくつかの実施形態では、パッケージ性能試験で使用される高さは、約２０ｍｍ〜１０００ｍｍ、例えば、約２０ｍｍ、約４０ｍｍ、約６０ｍｍ、約８０ｍｍ、約１００ｍｍ、約１２０ｍｍ、約１４０ｍｍ、約１６０ｍｍ、約１８０ｍｍ、約２００ｍｍ、約２２０ｍｍ、約２４０ｍｍ、約２６０ｍｍ、約２８０ｍｍ、約３００ｍｍ、約３２０ｍｍ、約３４０ｍｍ、約３６０ｍｍ、約３８０ｍｍ、約４００ｍｍ、約４２０ｍｍ、約４４０ｍｍ、約４６０ｍｍ、約４８０ｍｍ、約５００ｍｍ、約５２０ｍｍ、約５４０ｍｍ、約５６０ｍｍ、約５８０ｍｍ、約６００ｍｍ、約６２０ｍｍ、約６４０ｍｍ、約６６０ｍｍ、約６８０ｍｍ、約７００ｍｍ、約７２０ｍｍ、約７４０ｍｍ、約７６０ｍｍ、約７８０ｍｍ、約８００ｍｍ、約８２０ｍｍ、約８４０ｍｍ、約８６０ｍｍ、約８８０ｍｍ、約９００ｍｍ、約９２０ｍｍ、約９４０ｍｍ、約９６０ｍｍ、約９８０ｍｍ、もしくは約１０００ｍｍ、または約２０ｍｍ〜約６０ｍｍ、約６０ｍｍ〜約１００ｍｍ、約１００ｍｍ〜約２００ｍｍ、約２００ｍｍ〜約３００ｍｍ、約３００ｍｍ〜約４００ｍｍ、約５００ｍｍ〜約６００ｍｍ、約６００ｍｍ〜約７００ｍｍ、約８００ｍｍ〜約９００ｍｍ、もしくは約９００ｍｍ〜約１０００ｍｍの範囲の高さである。いくつかの実施形態では、基板は、軟質発泡体、例えば、ポリウレタンシートなどのポリウレタンである。いくつかの実施形態では、基板は、約１８〜約２０ｌｂｓ／ｉｎ２の圧縮抵抗範囲を有するＥｎｓｏｌｉｔｅ（登録商標）ＡＦなどの堅いクッションまたはマット材料である。いくつかの実施形態では、基板は、ステンレス鋼などの硬質表面である。いくつかの実施形態では、基板は、約１ｃｍ、２ｃｍ、３ｃｍ、４ｃｍ、または５ｃｍの厚さを有する。
【００６０】
「プラズマ」は、正および負の荷電粒子が結合しておらず、容器に封入されていない限
り、明確な形状または明確な体積を有しない物質の状態である。プラズマはまた、荷電粒
子の非存在下でガス、例えば、空気、Ｏ２、Ｎ２などである非荷電粒子も含有し得る。プ
ラズマは、コロナ放電の場合のように、ガスに電界を印加することによって産生され得る
。プラズマを産生する他の方法は、ガスを加熱すること、電磁放射（例えば、高周波（Ｒ
Ｆ）誘導放電）、および電子ビームなどの荷電粒子ビームを生成することを含む。
【００６１】
表面がプラズマに曝露され、曝露によって影響を受けた少なくとも１つの性質、例えば
、未処理の対応部分と比較した接触角の減少、表面エネルギーの増加、または固体組成物
への付着度の増加などを有する場合、表面は、「プラズマ処理」されている。
【００６２】
「糖類」は、炭素に対する酸素の比が約（しかし必ずしも正確にではない）１：１であ
り、酸素に対する水素の比が約２：１（しかし必ずしも正確にではない）である、炭素と
、水素と、酸素とを含有する化合物である。糖類としては、キシリトール（Ｃ５Ｈ１２Ｏ
５）などの糖アルコール、ならびにグルコース（Ｃ６Ｈ１２Ｏ６）およびスクロース（Ｃ
１２Ｈ２２Ｏ１１）などの糖が挙げられる。
【００６３】
本明細書で使用される場合、「固体組成物」は、非流動性物質を指す。別段の指示がな
い限り、固体組成物は、一般に１つの寸法が他の寸法と比較して薄い乾燥塗料などのコー
ティングを意味しない。固体組成物としては、非コーティング残留物を与えるような方法
で溶液を乾燥させることから生じる凍結乾燥物、ペレットなどが挙げられる。固体組成物
は一般的に、結晶質であるか、または分子レベルで格子構造を有するが、固体組成物はま
た、非晶質および準結晶質固体も含む。固体組成物は、２０℃および１ａｔｍの圧力で固
体ではない凍結溶液を含まない。いくつかの実施形態では、固体組成物は、３つの直交す
る次元において巨視的である（例えば、それらは顕微鏡の助けを借りずに観察可能な、例
えば約１ｍｍを超える長さ、幅、および高さを有する）。本明細書の固体組成物は、一般
に、約０．５〜約２ｇ／ｃｍ３の範囲の密度を有し、それらの体積は、それに応じて推定
され得る。
【００６４】
本明細書で使用される場合、「溶液」は、溶媒とその中に溶解した溶質とを含む組成物
であり、液体溶液だけではなく、例えば、溶質が一般に凍結溶媒内で分散したままである
ように、溶解した溶質を含有する溶媒を凍結させる結果である凍結溶液も含む（溶媒から
著しく異なる固相を沈殿させるか、または別様に形成するのとは対照的に）。
【００６５】
例示的な方法、組成物、およびキット
いくつかの実施形態では、溶液がプラズマ処理表面上で乾燥させられ、プラズマ処理表
面に付着した固体組成物を形成する、付着固体組成物を調製するための方法が提供される
。いくつかの実施形態では、プラズマ処理表面は、冷陰極放電、中空陰極放電、ＤＣ誘導
放電、高周波（ＲＦ）誘導放電、コロナ放電、グロー放電、または荷電粒子ビームで処理
された表面である。いくつかの実施形態では、プラズマ処理表面は、コロナ放電で処理さ
れた表面である。
【００６６】
いくつかの実施形態では、プラズマ処理表面に付着した固体組成物が提供される。いく
つかの実施形態では、約９０度〜約６０度の壁角を有する少なくとも１つの凹面を含む環
状オレフィンコポリマー表面が提供され、環状オレフィンコポリマー表面は、約６００マ
イクログラム〜約１００ｍｇの質量を有し、糖類を含む固体組成物を含有し、固体組成物
は、環状オレフィンコポリマー表面に付着し、固体組成物は、固体組成物を含有する環状
オレフィンコポリマー表面が約４８０ｍｍの高さからステンレス鋼表面上に落とされるパ
ッケージ性能試験後に、環状オレフィンコポリマー表面に実質的に付着したままである。
いくつかの実施形態では、プラズマ処理表面に付着した固体組成物が提供され、固体組成
物は、充填剤と、酵素およびオリゴヌクレオチドのうちの少なくとも１つとを含む。いく
つかの実施形態では、本明細書に開示される方法によって産生されるプラズマ処理表面に
付着した固体組成物が提供される。
【００６７】
プラズマ処理表面に付着した固体組成物などの、本明細書に開示される固体組成物を含
むキットもまた提供され、キットは、任意に再構成液体をさらに含む。
【００６８】
混合物を形成する方法もまた提供され、方法は、再構成液体、およびプラズマ処理表面
に付着した固体組成物などの、本明細書に開示される固体組成物を組み合わせることによ
って、再構成組成物を形成することを含む。
【００６９】
いくつかの実施形態では、環状オレフィンコポリマー表面の凹面に液体または凍結溶液
を含有する環状オレフィンコポリマー表面が提供され、環状オレフィンコポリマーは、プ
ラズマで処理されていない環状オレフィンコポリマーと比較して減少した接触角または増
加した表面エネルギーを有する。いくつかの実施形態では、環状オレフィンコポリマー表
面の凹面に液体または凍結溶液を含有する環状オレフィンコポリマー表面が提供され、環
状オレフィンコポリマーは、約３５ダイン〜約５５ダインの表面エネルギーまたは約約５
°〜約５０°の接触角を有する。
【００７０】
以下の段落、発明の概要、図面およびその説明、実施例、特許請求の範囲（それらは本
明細書の一部と見なされる）、または本出願の他の部分にかかわらず、本明細書に提供さ
れるある特定の実施形態の詳細は、当業者の理解に従ってそれらが適用され得る、本明細
書に開示される方法、組成物、およびキットの全てに関して記載される。
【００７１】
表面をプラズマで処理することは、固体組成物が溶液の乾燥中に形成されるときに、表
面が固体組成物の分子と有利に相互作用する程度を高めると考えられる。例えば、プラズ
マ処理は、固体組成物の分子との双極子−双極子、水素結合などの非共有相互作用が可能
である、表面の電荷密度または部分的に帯電した原子もしくは基の密度を増加させ得る。
したがって、プラズマ処理の継続時間および強度のある範囲、例えば、約２５ワット／分
／ｍ２〜約２０００ワット／分／ｍ２、約５０ワット／分／ｍ２〜約１５００ワット／分
／ｍ２、約１００〜約１２００ワット／分／ｍ２、約２００〜約１０００ワット／分／ｍ
２、約１００〜約６００ワット／分／ｍ２、または約２００ワット／分／ｍ２〜約６００
ワット／分／ｍ２の範囲のワット密度でのコロナ放電放電などのプラズマ源での処理が使
用され得る。
【００７２】
プラズマ処理の程度は、表面エネルギーまたは表面エネルギーの変化の観点からも表現
され得る。いくつかの実施形態では、ポリオレフィンを含む表面などのプラズマ処理表面
は、約３３〜約４５ダイン、約３５〜約４２ダイン、または約３７〜約４０ダインの範囲
の表面エネルギーを有する。いくつかの実施形態では、ポリエチレンまたはポリプロピレ
ンを含む表面などのプラズマ処理表面は、約３５〜約５５ダイン、約３７〜約５３ダイン
、または約４０〜約５０ダインの範囲の表面エネルギーを有する。いくつかの実施形態で
は、プラズマ処理表面は、同じ組成の未処理表面と比較して表面エネルギーの増加を有し
、表面エネルギーの増加は、約３〜約２０ダイン、約４〜約１５ダイン、約５〜約１２ダ
イン、または約６〜約１０ダインの範囲である。
【００７３】
プラズマ処理の程度は、接触角または接触角の変化の観点からも表現され得る。いくつ
かの実施形態では、ポリオレフィンを含む表面などのプラズマ処理表面は、約５°〜約５
０°、例えば、約５°〜約４０°、約５°〜約３０°、約５°〜約１０°、約１０°〜約
２０°、約１０°〜約３０°、約１０°〜約４０°、約２０°〜約３０°、約３０°〜約
４０°、または約４０°〜約５０°の接触角を有する。いくつかの実施形態では、接触角
は、約５°〜約２５°である。いくつかの実施形態では、接触角は、約１０°〜約２５°
である。いくつかの実施形態では、接触角は、プラズマ処理前の表面の接触角と比較して
減少する。減少量は、いくつかの実施形態では、約３０°〜約９５°、例えば、約４０°
〜約９０°、約３０°〜約４０°、約４０°〜約５０°、約５０°〜約６０°、約６０°
〜約７０°、約７０°〜約８０°、約８０°〜約９０°、または約９０°〜約９５°の範
囲の値である。
【００７４】
いくつかの実施形態では、プラズマ処理表面は、プラズマ処理槽、例えば、管、または
マルチウェルプレートもしくはカートリッジの内部表面である。いくつかの実施形態では
、表面または槽は、プラスチックを含む。いくつかの実施形態では、プラスチックは、ポ
リエチレン、ポリエチレンテレフタレート、ポリプロピレン、ポリメタクリレート、ポリ
塩化ビニル、ポリスチレン、ポリオレフィン、ポリカーボネート、ポリウレタン、デンプ
ン由来プラスチック、または環状オレフィンコポリマーのうちの少なくとも１つを含む。
【００７５】
プラズマ処理のための装置、そのような装置を使用する方法、またはプラズマ処理の一
般的な考察は、例えば、ＷＯ２００２／０２３９６０（Ａ１）、ＵＳ２００９／０１４３
７１８（Ａ１）、ＵＳ６，１０６，６５３、ＵＳ７，５５６，８４５（Ｂ２）、ＵＳ３，
８７０，６１０、ＵＳ２０１３／００１７６７２（Ａ１）、ＵＳ８，３６１，５６５（Ｂ
２）、およびＵＳ９，００５，１８８（Ｂ２）に見られる。表面への凍結乾燥物などの固
体組成物の付着との関連で、プラズマ処理は、適用されていないと考えられる。それにも
かかわらず、本開示の手引きおよび一般にプラズマ処理に関する利用可能な知識を考慮し
て、当業者は、本明細書に開示される組成物および方法を十分に実践、作製、および使用
することができる。
【００７６】
いくつかの実施形態では、乾燥は、凍結乾燥を含む。いくつかの実施形態では、固体組
成物は、凍結乾燥ペレットなどの凍結乾燥物である。いくつかの実施形態では、乾燥は、
蒸発、脱水、乾燥（ｄｅｓｉｃｃａｔｉｎｇ）、凍結乾燥、および噴霧乾燥のうちの少な
くとも１つを含む。いくつかの実施形態では、乾燥は、真空下、例えば、約０．９、０．
８、０．７、０．６、０．５、０．４、０．３、０．２、０．１、０．０５、もしくは０
．０１気圧以下の圧力、または周囲圧力の約０．９、０．８、０．７、０．６、０．５、
０．４、０．３、０．２、０．１、０．０５、もしくは０．０１倍以下の圧力下で生じる
。いくつかの実施形態では、乾燥は、高温、例えば、周囲温度よりも約１、２、３、４、
もしくは５℃高いか、または約３０℃よりも高い、例えば、約３０℃〜１１０℃、約３０
℃〜４０℃、約４０℃〜５０℃、約５０℃〜６０℃、約６０℃〜７０℃、約７０℃〜８０
℃、約８０℃〜９０℃、約９０℃〜１００℃、もしくは約１００℃〜１１０℃の温度で生
じる。いくつかの実施形態では、乾燥は、周囲温度、または約１５℃〜３０℃、約１５℃
〜２５℃、約２０℃〜３０℃、約１５℃〜２０℃、約２０℃〜２５℃、もしくは約２５℃
〜３０℃の温度で生じる。いくつかの実施形態では、乾燥は、低温、例えば、周囲温度よ
りも約１、２、３、４、もしくは５℃低いか、または１５℃未満、例えば、約１０℃〜約
１５℃、約５℃〜約１０℃、約０℃〜約５℃、約−５℃〜約０℃、約−１０℃〜約０℃、
約−２０℃〜約−１０℃、約−３０℃〜約−２０℃、約−４０℃〜約−３０℃、約−５０
℃〜約−４０℃、約−６０℃〜約−５０℃、約−７０℃〜約−６０℃、約−８０℃〜約−
７０℃、約−９０℃〜約−８０℃、もしくは約−１００℃〜約−９０℃の温度で生じる。
【００７７】
いくつかの実施形態では、溶液は、乾燥ステップの少なくとも一部の間に凍結される。
いくつかの実施形態では、溶液は、乾燥ステップの少なくとも一部の間に液体である。い
くつかの実施形態では、溶液は、乾燥ステップの全部または実質的に全部の間に凍結され
る。いくつかの実施形態では、溶液は、乾燥ステップの全部または実質的に全部の間に液
体である。いくつかの実施形態では、溶液は、乾燥ステップの一部の間に液体であり、溶
媒の一部が、例えば蒸発中に液体から気体への転位を受け、続いて凍結し、次いで残りの
溶媒が、例えば凍結乾燥中に、昇華にあるような固体から気体への転移を受けたときなど
、乾燥ステップの少なくとも一部の間に固体である。
【００７８】
溶液は、標準的な方法および装置を使用して凍結乾燥し得る。フリーズドライヤは、例
えば、ＧＥＡ  Ｐｒｏｃｅｓｓ  Ｅｎｇｉｎｅｅｒｉｎｇ，Ｃｏｌｕｍｂｉａ，ＭＤから
入手可能である。契約のフリーズドライサービスは、例えば、Ｂｉｏｐｈａｒｍａ  Ｔｅ
ｃｈｎｏｌｏｇｙ  Ｌｔｄ．，Ｗｉｎｃｈｅｓｔｅｒ，Ｈａｍｐｓｈｉｒｅ，Ｇｒｅａｔ
ＢｒｉｔａｉｎおよびＢｉｏＰｈａｒｍａ  Ｓｏｌｕｔｉｏｎｓ  Ｓｔｅｒｉｌｅ  Ｃ
ｏｎｔｒａｃｔ  Ｍａｎｕｆａｃｔｕｒｉｎｇ，Ｂａｘｔｅｒ  Ｈｅａｌｔｈｃａｒｅ  
Ｃｏｒｐ，Ｄｅｅｒｆｉｅｌｄ，ＩＬによって提供される。凍結乾燥のための手引きは、
例えば、Ｌ．Ｒｅｙ，Ｊ．Ｃ．Ｍａｙ（ｅｄｓ．）（２０１０）Ｆｒｅｅｚｅ  Ｄｒｙｉ
ｎｇ／Ｌｙｏｐｈｉｌｉｚａｔｉｏｎ  ｏｆ  Ｐｈａｒｍａｃｅｕｔｉｃａｌｓ  ａｎｄ
Ｂｉｏｌｏｇｉｃａｌ  Ｐｒｏｄｕｃｔｓ，３ｒｄ．ｅｄ．Ｉｎｆｏｒｍａ  Ｈｅａｌ
ｔｈｃａｒｅ，ＮＹもしくはＭｅｔｈｏｄｓ  ｉｎ  Ｅｎｚｙｍｏｌｏｇｙ，Ｖｏｌ．２
２，Ｐａｇｅｓ  ３３−３９，Ａｃａｄｅｍｉｃ  Ｐｒｅｓｓ，Ｎｅｗ  Ｙｏｒｋ  （１
９７１）、またはＦｒｅｅｚｅ−Ｄｒｙｉｎｇ，Ｅ．Ｗ．Ｆｌｏｓｄｏｒｆ，Ｒｈｅｉｎ
ｈｏｌｄ，Ｎｅｗ  Ｙｏｒｋ（１９４９）から入手可能である。任意に、フリーズドライ
中に酸素含量が低減され得る（Ｐｈｉｌｌｉｐｓ  ｅｔ  ａｌ（２００１）Ｂｉｏｌｏｇ
ｉｃｓ．１９：２１９）。
【００７９】
乾燥には、様々な容器が好適である。容器が部分真空下で密封および貯蔵されたとき、
容器は、外圧に耐えることが可能でなければならない。容器は、外側から内側への合理的
な熱伝達を可能にする材料で作製されるべきである。容器のサイズは、好ましくは、乾燥
する溶液が、あふれ出ることを回避するために、全体積の２０％以下を占めるようなもの
である。
【００８０】
試料は、別々の槽または多検体槽で乾燥し得る。多検体槽とは、少なくとも２つの検体
を、それらが並行して、しかし別々に貯蔵および操作され得るように含むことができる連
続した槽を意味する。多検体槽、例えば、マルチウェルプレートまたはカートリッジのた
めの標準フォーマットは、６、２４、９６、３８４、または１５３６の凹面、例えばウェ
ルを有するフォーマットを含む。９６ウェルフォーマットの一例における各ウェルの体積
は、約３００〜４００マイクロリットルであり、作業体積は、約７５〜２００マイクロリ
ットルである。他のサイズも企図されるが、体積は、一般に、ウェルの数と逆に、典型的
には各ウェルにつき１ｎＬ〜１０ｍＬの範囲で変化する。例示的なウェルおよび凹面は、
とりわけ平坦な底部、円形の底部、またはＶ字形の底部を有することができる。加えて、
ウェルは、反応ウェルとさらに称される場合もある。反応ウェルという用語は、任意の反
応が反応ウェル内で実際に起こることを必要としない。むしろ、この用語は、試薬を含み
、その中に反応を有しないか、その中に部分的な反応を有するか、またはその中に完全な
反応を有する可能性がある槽またはウェルを指すために使用される。
【００８１】
上述のように、マルチウェルプレートは、本明細書のいくつかの実施形態では、凍結乾
燥を受けて溶液から固体組成物を形成することができる。凍結乾燥は、ネストデバイス内
で生じ得る（同時係属の国際出願第ＰＣＴ／ＵＳ２０１６／０４５１６６号を参照された
い）。ネストは、密封された凍結乾燥チャンバの外側から操作可能な機構によって閉鎖さ
れ得る通気口を有するプレートのための容器である。マルチウェルプレートを含むネスト
は、１つ以上の通気口が開放位置にある状態で凍結乾燥チャンバ内に配置される。次いで
、チャンバは密封され、凍結乾燥雰囲気が、ネスト内の空間を含むチャンバ全体に印加さ
れる。次いで、１つ以上の通気口が閉鎖され、それによりネストを密封する。凍結乾燥チ
ャンバ上のシールは後に解放され、マルチウェルプレートを含むネストが取り外される。
次いで、オペレータがその中に位置する凍結乾燥組成物を使用するか、またはさらなる貯
蔵もしくは販売のために凍結乾燥検体を含むマルチウェルプレートを再密封する準備が整
うまで、ネストは、その中にマルチウェルプレートが位置付けられた状態で再配置および
貯蔵され得る。次いで、マルチウェルプレートのウェルは密閉され、周囲空気からの水分
の侵入を実質的に阻止することができる。いくつかの実施形態では、密封されたマルチウ
ェルプレートは、乾燥剤を含むパウチに貯蔵される。同様に、別々の槽が凍結乾燥を受け
ることができ、ネスト内での凍結乾燥を受けることができる。このようにして、密封され
たマルチウェルプレートへの少量の水分の侵入が防止され得る。
【００８２】
最適な凍結乾燥条件は、製品に依存する。いくつかの実施形態では、凍結乾燥手順は、
例えば、約−３０℃〜約−１０℃の温度での熱処理ステップを含み得る。熱処理ステップ
は、例えば、３０分〜６時間の継続時間を有し得る。例えば、熱処理ステップは、約−２
０℃において約２時間であってもよい。いくつかの実施形態では、凍結乾燥手順は、例え
ば、約−５０℃から約−１０℃の温度での一次乾燥ステップを含み得る。一次乾燥ステッ
プは、例えば、約１０時間〜約７５時間の継続時間を有し得る。いくつかの実施形態では
、凍結乾燥手順は、例えば、約−１０℃〜約４０℃の温度での二次乾燥ステップを含み得
る。一次乾燥ステップは、例えば、約１時間〜約２４時間の継続時間を有し得る。凍結乾
燥中、凍結乾燥チャンバ内の圧力が大気圧より低くなるように、例えば、約１０ｍＴｏｒ
ｒ〜約２５０ｍＴｏｒｒの範囲内になるように真空が印加される。
【００８３】
他の乾燥方法としては、噴霧乾燥、流動床乾燥、除湿機、乾燥（ｄｅｓｉｃｃａｔｉｏ
ｎ）、およびフィルタケーキの乾燥が挙げられる（ＮＰ  Ｃｈｅｒｅｍｉｓｉｎｏｆｆ（
２０００）Ｈａｎｄｂｏｏｋ  ｏｆ  Ｃｈｅｍｉｃａｌ  Ｐｒｅｏｃｅｓｓｉｎｇ  Ｅｑ
ｕｉｐｍｅｎｔ，ｂｕｔｔｅｒｗｏｒｔｈ  Ｈｅｉｎｅｍａｎｎ，Ｂｏｓｔｏｎ，ＭＡを
参照されたい）。除湿機は、Ｂｒｙ  Ａｉｒ，Ｉｎｃ．，Ｓｕｎｂｕｒｙ，Ｏｈｉｏおよ
びＤＳＴ  Ｓｅｉｂｕ  Ｇｉｋｅｎ，Ｗｙｏｍｉｓｓｉｎｇ，ＰＡから入手可能である。
ロータリドライヤ、コニカルドライヤ、およびシェルフドライヤが入手可能である（Ｍｃ
Ｇｉｌｌ  ＡｉｒＰｒｅｓｓｕｒｅ  ＬＬＣ，Ｃｏｌｕｍｂｕｓ，Ｏｈｉｏ）。一実施形
態では、真空ドライヤは、材料を減圧に曝露することによって水分を除去し、蒸発によっ
て失われた熱は、熱源または水浴などのリザーバからの熱によって置き換えられ、槽は、
例えば、市販のロータリドライヤにあるような材料を含む。例示的な乾燥剤としては、シ
リカゲル乾燥剤、アルミノケイ酸塩および合成ゼオライトなどの分子ふるい乾燥剤、なら
びにベントナイト乾燥剤が挙げられる。
【００８４】
いくつかの実施形態では、反応混合物は、それらが使用のために再構成されるものと同
じ槽内で乾燥する。
【００８５】
凍結乾燥または別様に固体もしくは乾燥組成物は、例えば、５重量％未満の水、４重量
％未満、３重量％未満、２重量％未満、１．０重量％未満、０．５重量％未満、０．２重
量％未満、０．１重量％未満、０．０５重量％未満、０．０２重量％未満、０．０１重量
％未満などでの低い含水量を有する。いくつかの実施形態では、固体組成物は、約５ｍｇ
〜約２０ｇ、約２００ｍｇ〜約２０ｇ、約１ｇ〜約２０ｇ、約５ｇ〜約２０ｇ、約５ｍｇ
〜約１ｇ、約５ｍｇ〜約５００ｍｇ、約５ｍｇ〜約２００ｍｇ、約５ｍｇ〜約１００ｍｇ
、約５ｍｇ〜約５０ｍｇ、約５ｍｇ〜約２０ｍｇ、約５ｍｇ〜約１０ｍｇ、約１０ｍｇ〜
約２００ｍｇ、約２０ｍｇ〜約２００ｍｇ、約５０ｍｇ〜約２００ｍｇ、または約１００
ｍｇ〜約２００ｍｇの範囲の質量を有する。
【００８６】
凍結乾燥または別様に固体もしくは乾燥組成物は、使用前に貯蔵される。貯蔵期間は、
乾燥組成物が周囲空気に曝露される室温で貯蔵される期間を含み得る。そのような期間は
、最大３時間、あるいは最大１．０時間、最大１．５時間、最大２．０時間、最大２．５
時間、最大３．５時間、最大４．０時間、最大５．０時間、最大６．０時間、最大８．０
時間、または９０分〜１８０分などの時間のいずれかの範囲であってもよい。そのような
貯蔵中の絶対湿度は、空気１立方メートル当たり少なくとも２．３ｇの水、あるいは空気
１立方メートル当たり１．８、２．０、２．２、２．４、２．６、２．８、３．０グラム
を超え、最大で貯蔵条件下での約９５％の相対湿度に対応する絶対湿度であってもよい。
あるいは、相対湿度は、例えば、約４０％、約５０％、約６０％、約７０％、約８０％、
約９０％、または約９５％の相対湿度など、約４０％〜約９５％の相対湿度であってもよ
い。
【００８７】
貯蔵はまた、乾燥または固体組成物が密封され、シールの外側の周囲空気との接触を実
質的に防止する、より長い期間を含み得る。この貯蔵期間は、長時間、例えば、少なくと
も１週間、少なくとも１ヶ月、少なくとも６ヶ月、少なくとも１年、または少なくとも２
年であってもよい。１ヶ月〜２年の期間が例示的である。
【００８８】
長期貯蔵または長期もしくは短期安定性研究のための貯蔵温度の範囲としては、例えば
、０〜２℃、０〜４℃、２〜４℃、２〜６℃、２０℃、２５℃、３０℃、４０℃、５０℃
、６０℃、ならびに液体窒素下で−４〜−２℃、−６〜−２℃、−８〜−２℃、−１０〜
−２℃、−２０℃、−４０℃、−６０℃、−８０℃などの零下温度が挙げられる。好まし
くは、貯蔵は、凝固点よりも上で、約４〜８℃の範囲内である。加速分解研究は、例えば
、１時間、２時間、４時間、２４時間、２日間、４日間、８日間、１ヶ月、３ヶ月、１０
０日間などの期間にわたって、約２５℃、約３０℃、約３５℃、約４０℃で行われ得る。
貯蔵あるいは安定性試験のための条件は、凝固点よりも上から凝固点よりも下に変動する
ように温度が変動する条件であってもよい。
【００８９】
いくつかの実施形態では、溶液は、水を含む。いくつかの実施形態では、溶液は、少な
くとも１０重量％、２０重量％、３０重量％、４０重量％、５０重量％、５５重量％、６
０重量％、６５重量％、７０重量％、７５重量％、８０重量％、８５重量％、９０重量％
、９５重量％、９６重量％、９７重量％、９８重量％、９９重量％、９９．５重量％、９
９．６重量％、９９．７重量％、９９．８重量％、または９９．９重量％の水を含む。い
くつかの実施形態では、溶液は、少なくとも１０体積％、２０体積％、３０体積％、４０
体積％、５０体積％、５５体積％、６０体積％、６５体積％、７０体積％、７５体積％、
８０体積％、８５体積％、９０体積％、９５体積％、９６体積％、９７体積％、９８体積
％、９９体積％、９９．５体積％、９９．６体積％、９９．７体積％、９９．８体積％、
または９９．９体積％の水を含む。
【００９０】
いくつかの実施形態では、溶液は、極性有機溶媒を含む。いくつかの実施形態では、溶
液は、少なくとも１０重量％、２０重量％、３０重量％、４０重量％、５０重量％、５５
重量％、６０重量％、６５重量％、７０重量％、７５重量％、８０重量％、８５重量％、
９０重量％、９５重量％、９６重量％、９７重量％、９８重量％、９９重量％、９９．５
重量％、９９．６重量％、９９．７重量％、９９．８重量％、または９９．９重量％の極
性有機溶媒を含む。いくつかの実施形態では、溶液は、少なくとも１０体積％、２０体積
％、３０体積％、４０体積％、５０体積％、５５体積％、６０体積％、６５体積％、７０
体積％、７５体積％、８０体積％、８５体積％、９０体積％、９５体積％、９６体積％、
９７体積％、９８体積％、９９体積％、９９．５体積％、９９．６体積％、９９．７体積
％、９９．８体積％、または９９．９体積％の極性有機溶媒水を含む。いくつかの実施形
態では、極性有機溶媒は、エタノールを含む。いくつかの実施形態では、極性有機溶媒は
、イソプロパノールを含む。いくつかの実施形態では、極性有機溶媒は、ＤＭＳＯを含む
。いくつかの実施形態では、極性有機溶媒は、グリセロールを含む。
【００９１】
いくつかの実施形態では、溶液は、非極性有機溶媒を含む。いくつかの実施形態では、
溶液は、少なくとも１０重量％、２０重量％、３０重量％、４０重量％、５０重量％、５
５重量％、６０重量％、６５重量％、７０重量％、７５重量％、８０重量％、８５重量％
、９０重量％、９５重量％、９６重量％、９７重量％、９８重量％、９９重量％、９９．
５重量％、９９．６重量％、９９．７重量％、９９．８重量％、または９９．９重量％の
非極性有機溶媒を含む。いくつかの実施形態では、溶液は、少なくとも１０体積％、２０
体積％、３０体積％、４０体積％、５０体積％、５５体積％、６０体積％、６５体積％、
７０体積％、７５体積％、８０体積％、８５体積％、９０体積％、９５体積％、９６体積
％、９７体積％、９８体積％、９９体積％、９９．５体積％、９９．６体積％、９９．７
体積％、９９．８体積％、または９９．９体積％の非極性有機溶媒水を含む。
【００９２】
いくつかの実施形態では、溶液中の溶質の総量は、約０．０１％〜約５０％（ｗ／ｖ）
、約０．０５％〜約５０％（ｗ／ｖ）、約０．１％〜約５０％（ｗ／ｖ）、約０．２％〜
約５０％（ｗ／ｖ）、約０．５％〜約５０％（ｗ／ｖ）、約１％〜約５０％（ｗ／ｖ）、
約２％〜約５０％（ｗ／ｖ）、約５％〜約５０％（ｗ／ｖ）、約１０％〜約５０％（ｗ／
ｖ）、約０．０１％〜約２５％（ｗ／ｖ）、約０．０１％〜約１０％（ｗ／ｖ）、約０．
０１％〜約５％（ｗ／ｖ）、約０．０１％〜約２％（ｗ／ｖ）、約０．０１％〜約１％（
ｗ／ｖ）、約０．０１％〜約０．１％（ｗ／ｖ）、約０．１％〜約１％（ｗ／ｖ）、約１
％〜約２％（ｗ／ｖ）、約２％〜約５％（ｗ／ｖ）、約５％〜約１０％（ｗ／ｖ）、約１
０％〜約２０％（ｗ／ｖ）、または約２０％〜約５０％（ｗ／ｖ）である。いくつかの実
施形態では、溶液中の溶質の総量は、約０．０１％〜約５０％（ｗ／ｗ）、約０．０５％
〜約５０％（ｗ／ｗ）、約０．１％〜約５０％（ｗ／ｗ）、約０．２％〜約５０％（ｗ／
ｗ）、約０．５％〜約５０％（ｗ／ｗ）、約１％〜約５０％（ｗ／ｗ）、約２％〜約５０
％（ｗ／ｗ）、約５％〜約５０％（ｗ／ｗ）、約１０％〜約５０％（ｗ／ｗ）、約０．０
１％〜約２５％（ｗ／ｗ）、約０．０１％〜約１０％（ｗ／ｗ）、約０．０１％〜約５％
（ｗ／ｗ）、約０．０１％〜約２％（ｗ／ｗ）、約０．０１％〜約１％（ｗ／ｗ）、約０
．０１％〜約０．１％（ｗ／ｗ）、約０．１％〜約１％（ｗ／ｗ）、約１％〜約２％（ｗ
／ｗ）、約２％〜約５％（ｗ／ｗ）、約５％〜約１０％（ｗ／ｗ）、約１０％〜約２０％
（ｗ／ｗ）、または約２０％〜約５０％（ｗ／ｗ）である。いくつかの実施形態では、溶
液中の溶質の総量は、約０．０１％〜約５０％（ｖ／ｖ）、約０．０５％〜約５０％（ｖ
／ｖ）、約０．１％〜約５０％（ｖ／ｖ）、約０．２％〜約５０％（ｖ／ｖ）、約０．５
％〜約５０％（ｖ／ｖ）、約１％〜約５０％（ｖ／ｖ）、約２％〜約５０％（ｖ／ｖ）、
約５％〜約５０％（ｖ／ｖ）、約１０％〜約５０％（ｖ／ｖ）、約０．０１％〜約２５％
（ｖ／ｖ）、約０．０１％〜約１０％（ｖ／ｖ）、約０．０１％〜約５％（ｖ／ｖ）、約
０．０１％〜約２％（ｖ／ｖ）、約０．０１％〜約１％（ｖ／ｖ）、約０．０１％〜約０
．１％（ｖ／ｖ）、約０．１％〜約１％（ｖ／ｖ）、約１％〜約２％（ｖ／ｖ）、約２％
〜約５％（ｖ／ｖ）、約５％〜約１０％（ｖ／ｖ）、約１０％〜約２０％（ｖ／ｖ）、ま
たは約２０％〜約５０％（ｖ／ｖ）である。
【００９３】
溶液の例示的な体積としては、約１ｕＬ、約５ｕＬ、約１０ｕＬ、約２０ｕＬ、約２４
ｕＬ、約５０ｕＬ、約１００ｕＬ、約２００ｕＬ、約３００ｕＬ、約４００ｕＬ、約５０
０ｕＬ、約６００ｕＬ、約７００ｕＬ、約８００ｕＬ、約９００ｕＬ、約１，０００ｕＬ
（１ｍＬ）、約２ｍＬ、約５ｍＬ、約１０ｍＬ、約２０ｍＬ、約５０ｍＬが挙げられる。
再構成組成物は、乾燥前の溶液と同じ体積、より低い体積、またはより大きい体積で形成
され得る。より低い体積は、バルク試薬に対して約９０％、約８０％、約６０％、約４０
％、約２０％、約１０％、または約５％であってもよい。より大きい体積は、バルク試薬
の体積の約１２０％、１４０％、１６０％、１８０％、２００％（２倍）、約４倍、約６
倍、約８倍、約１０倍、約２０倍であってもよい。
【００９４】
いくつかの実施形態では、溶液は、充填剤を含む。いくつかの実施形態では、溶液は、
１つ以上の酵素を含む。いくつかの態様では、溶液は、分子アッセイを実施するのに有用
な少なくとも１つのオリゴヌクレオチドを含む。いくつかの実施形態では、溶液は、緩衝
剤を含む。いくつかの実施形態では、溶液は、塩を含む。いくつかの実施形態では、溶液
は、１つ以上のヌクレオシド三リン酸を含む。いくつかの実施形態では、溶液は、１つ以
上のデオキシヌクレオシド三リン酸を含む。いくつかの実施形態では、溶液は、ｄＡＴＰ
、ｄＧＴＰ、ｄＣＴＰ、ならびにｄＴＴＰおよびｄＵＴＰのうちの少なくとも１つを含む
。
【００９５】
いくつかの実施形態では、溶液は、無機塩を含まない。いくつかの実施形態では、溶液
は、約５ｍＭ〜０ｍＭの無機塩を含有する。溶液中の無機塩のさらなる例示的な濃度範囲
は、約４ｍＭ〜０ｍＭ、約３ｍＭ〜０ｍＭ、約２ｍＭ〜０ｍＭ、約１ｍＭ〜０ｍＭ、また
は約５００μＭ〜０ｍＭである。増幅および検出反応混合物のためのさらなる一般的な無
機塩としては、いくつか例を挙げると、ナトリウム、カリウム、マンガン、マグネシウム
、および塩化物のうちの１つ以上が挙げられる。
【００９６】
いくつかの実施形態では、溶液は、５ｍＭ以下の無機塩を含み、無機塩は、１マイクロ
リットル当たり０．３７３μｇ／μＬ以下、または０．３３２μｇ／μＬ以下、または０
．２９２μｇ／μＬ以下の質量で存在し、塩化ナトリウムが、１マイクロリットル当たり
０．２９２μｇ／μＬ以下、０．１４６μｇ／μＬ以下、もしくは０．０μｇ／μＬの質
量で存在するか、ナトリウムが、１マイクロリットル当たり０．１１５μｇ／μＬ以下、
０．０５７μｇ／μＬ以下、もしくは０．０μｇ／μＬの質量で存在するか、塩化カリウ
ムが、１マイクロリットル当たり０．３７３μｇ／μＬ以下、０．１８６μｇ／μＬ以下
、もしくは０．０μｇ／μＬの質量で存在するか、カリウムが、１マイクロリットル当た
り０．１９６μｇ／μＬ以下、０．０９８μｇ／μＬ以下、もしくは０．０μｇ／μＬの
質量で存在するか、または塩化物が、１マイクロリットル当たり０．３５５μｇ／μＬ以
下、０．１７８μｇ／μＬ以下、０．０８９μｇ／μＬ以下、もしくは０．０μｇ／μＬ
の質量で存在する。
【００９７】
いくつかの実施形態では、溶液は、４ｍＭ以下の無機塩を含み、無機塩は、１マイクロ
リットル当たり０．２９８μｇ／μＬ以下、または０．２６６μｇ／μＬ以下、または０
．２３４μｇ／μＬ以下の質量で存在し得、塩化ナトリウムが、１マイクロリットル当た
り０．２３４μｇ／μＬ以下、０．１１７μｇ／μＬ以下、もしくは０．０μｇ／μＬの
質量で存在するか、ナトリウムが、１マイクロリットル当たり０．０９２μｇ／μＬ以下
、０．０４６μｇ／μＬ以下、もしくは０．０μｇ／μＬの質量で存在するか、塩化カリ
ウムが、１マイクロリットル当たり０．２９８μｇ／μＬ以下、０．１４９μｇ／μＬ以
下、もしくは０．０μｇ／μＬの質量で存在するか、カリウムが、１マイクロリットル当
たり０．１５６μｇ／μＬ以下、０．０７８μｇ／μＬ以下、もしくは０．０μｇ／μＬ
の質量で存在するか、または塩化物が、１マイクロリットル当たり０．２８４μｇ／μＬ
以下、０．１４２μｇ／μＬ以下、０．０７１μｇ／μＬ以下、もしくは０．０μｇ／μ
Ｌの質量で存在する。
【００９８】
いくつかの実施形態では、溶液は、３ｍＭ以下の無機塩を含み、無機塩は、１マイクロ
リットル当たり０．２２４μｇ／μＬ以下、または０．１９９μｇ／μＬ以下、または０
．１７５μｇ／μＬ以下の質量で存在し、塩化ナトリウムが、１マイクロリットル当たり
０．１７５μｇ／μＬ以下、０．０８８μｇ／μＬ以下、もしくは０．０μｇ／μＬの質
量で存在するか、ナトリウムが、１マイクロリットル当たり０．０６９μｇ／μＬ以下、
０．０３４μｇ／μＬ以下、もしくは０．０μｇ／μＬの質量で存在するか、塩化カリウ
ムが、１マイクロリットル当たり０．２２４μｇ／μＬ以下、０．１１２μｇ／μＬ以下
、もしくは０．０μｇ／μＬの質量で存在するか、カリウムが、１マイクロリットル当た
り０．１１７μｇ／μＬ以下、０．０５９μｇ／μＬ以下、もしくは０．０μｇ／μＬの
質量で存在するか、または塩化物が、１マイクロリットル当たり０．２１３μｇ／μＬ以
下、０．１０７μｇ／μＬ以下、０．０５３μｇ／μＬ以下、もしくは０．０μｇ／μＬ
の質量で存在する。
【００９９】
いくつかの実施形態では、溶液は、２ｍＭ以下の無機塩を含み、無機塩は、１マイクロ
リットル当たり０．１４９μｇ／μＬ以下、または０．１３３μｇ／μＬ以下、または０
．１１７μｇ／μＬ以下の質量で存在し、塩化ナトリウムが、１マイクロリットル当たり
０．１１７μｇ／μＬ以下、０．０５８μｇ／μＬ以下、もしくは０．０μｇ／μＬの質
量で存在するか、ナトリウムが、１マイクロリットル当たり０．０４６μｇ／μＬ以下、
０．０２３μｇ／μＬ以下、もしくは０．０μｇ／μＬの質量で存在するか、塩化カリウ
ムが、１マイクロリットル当たり０．１４９μｇ／μＬ以下、０．０７５μｇ／μＬ以下
、もしくは０．０μｇ／μＬの質量で存在するか、カリウムが、１マイクロリットル当た
り０．０７８μｇ／μＬ以下、０．０３９μｇ／μＬ以下、もしくは０．０μｇ／μＬの
質量で存在するか、または塩化物が、１マイクロリットル当たり０．１４２μｇ／μＬ以
下、０．０７１μｇ／μＬ以下、０．０３６μｇ／μＬ以下、もしくは０．０μｇ／μＬ
の質量で存在する。
【０１００】
いくつかの実施形態では、溶液は、１ｍＭ以下の無機塩を含み、無機塩は、１マイクロ
リットル当たり０．０７５μｇ／μＬ以下、または０．０６６μｇ／μＬ以下、または０
．０５８μｇ／μＬ以下の質量で存在し、塩化ナトリウムが、１マイクロリットル当たり
０．０５８μｇ／μＬ以下、０．０２９μｇ／μＬ以下、もしくは０．０μｇ／μＬの質
量で存在するか、ナトリウムが、１マイクロリットル当たり０．０２３μｇ／μＬ以下、
０．０１１μｇ／μＬ以下、もしくは０．０μｇ／μＬの質量で存在するか、塩化カリウ
ムが、１マイクロリットル当たり０．０７５μｇ／μＬ以下、０．０３７μｇ／μＬ以下
、もしくは０．０μｇ／μＬの質量で存在するか、カリウムが、１マイクロリットル当た
り０．０３９μｇ／μＬ以下、０．０２０μｇ／μＬ以下、もしくは０．０μｇ／μＬの
質量で存在するか、または塩化物が、１マイクロリットル当たり０．０７１μｇ／μＬ以
下、０．０３６μｇ／μＬ以下、０．０１８μｇ／μＬ以下、もしくは０．０μｇ／μＬ
の質量で存在する。
【０１０１】
いくつかの実施形態では、溶液は、５００μＭ以下の無機塩を含み、無機塩は、１マイ
クロリットル当たり０．０３７μｇ／μＬ以下、または０．０３３μｇ／μＬ以下、また
は０．０２９μｇ／μＬ以下の質量で存在し、塩化ナトリウムが、１マイクロリットル当
たり０．０２９μｇ／μＬ以下、０．０１５μｇ／μＬ以下、もしくは０．０μｇ／μＬ
の質量で存在するか、ナトリウムが、１マイクロリットル当たり０．０１１μｇ／μＬ以
下、０．００６μｇ／μＬ以下、もしくは０．０μｇ／μＬの質量で存在するか、塩化カ
リウムが、１マイクロリットル当たり０．０３７μｇ／μＬ以下、０．０１９μｇ／μＬ
以下、もしくは０．０μｇ／μＬの質量で存在するか、カリウムが、１マイクロリットル
当たり０．０２０μｇ／μＬ以下、０．０１０μｇ／μＬ以下、もしくは０．０μｇ／μ
Ｌの質量で存在するか、または塩化物が、１マイクロリットル当たり０．０３６μｇ／μ
Ｌ以下、０．０１８μｇ／μＬ以下、０．００９μｇ／μＬ以下、もしくは０．０μｇ／
μＬの質量で存在する。
【０１０２】
いくつかの実施形態では、溶液は、約５ｍＭ〜約５００μＭの無機塩を含み、無機塩が
、１マイクロリットル当たり約０．３７３μｇ／μＬ〜約０．０２９μｇ／μＬの質量で
存在し、塩化ナトリウムが、１マイクロリットル当たり０．２９２μｇ／μＬ〜約０．０
２９μｇ／μＬの質量で存在し、ナトリウムが、１マイクロリットル当たり０．１１５μ
ｇ／μＬ〜約０．００６μｇ／μＬの質量で存在し、塩化カリウムが、１マイクロリット
ル当たり約０．３７３μｇ／μＬ〜約０．０１９μｇ／μＬの質量で存在し、カリウムが
、１マイクロリットル当たり０．１９６μｇ／μＬ〜約０．０１０μｇ／μＬの質量で存
在し、塩化物が、１マイクロリットル当たり０．３５５μｇ／μＬ〜約０．００９μｇ／
μＬの質量で存在するか、無機塩が、１マイクロリットル当たり約０．３７３μｇ／μＬ
〜約０．０２９μｇ／μＬの質量で存在し、塩化ナトリウムが、１マイクロリットル当た
り約０μｇ／μＬの質量で存在し得るか、または無機塩が、１マイクロリットル当たり約
０．３７３μｇ／μＬ〜約０．０２９μｇ／μＬの質量で存在し、塩化カリウムが、１マ
イクロリットル当たり約０μｇ／μＬの質量で存在する。
【０１０３】
いくつかの実施形態では、１つ以上のヌクレオシド三リン酸のうちの少なくとも１つが
、溶液中に約０．１ｍＭ〜約０．３ｍＭまたは約０．２ｍＭ〜約０．６ｍＭの範囲の量で
存在する。
【０１０４】
いくつかの実施形態では、溶液は、薬学的に活性な薬剤、例えば、１つ以上の単回単位
用量の薬学的に活性な薬剤を含む。いくつかの実施形態では、溶液は、薬学的に許容され
る塩をさらに含む。
【０１０５】
いくつかの実施形態では、溶液は、核酸合成または増幅アッセイを実施するのに十分な
試薬を含む。「核酸合成または増幅アッセイを実施するのに十分な試薬」とは、ポリメラ
ーゼ、適切な二価陽イオン塩、およびヌクレオチド三リン酸などの、核酸合成を実施する
ために使用され得る、溶媒および試料または鋳型核酸以外の試薬のセットを意味する。そ
のような試薬セットは、酵素および他の成分の選択によるＰＣＲ、ＲＴ−ＰＣＲ、および
転写媒介増幅を含む様々な種類の増幅のためにカスタマイズされ得る。
【０１０６】
いくつかの実施形態では、溶液は、捕捉プローブまたは加水分解プローブを含む。いく
つかの実施形態では、溶液は、ＲＮａｓｅ阻害剤を含む。いくつかの実施形態では、ＲＮ
ａｓｅ阻害剤は、約０．１２Ｕ／μＬ〜約０．２０Ｕ／μＬの濃度で溶液中に存在する。
いくつかの実施形態では、溶液は、キレート剤を含む。いくつかの実施形態では、キレー
ト剤は、１．５ｍＭ〜２．０ｍＭの濃度で溶液中に存在する。いくつかの実施形態では、
溶液は、洗剤を含む。
【０１０７】
いくつかの実施形態では、本開示に従った溶液（凍結乾燥前混合物と称される場合もあ
る）は、ポリメラーゼ；増幅および検出反応で使用するためのヌクレオチド；有機緩衝剤
、例えば、トリス；ならびにトレハロースもしくはラフィノースまたはそれらの組み合わ
せなどの充填剤のうちの１つ、２つ、３つ、または全部を含む。溶液はまた、１つ以上の
核酸を含んでも含まなくてもよい。溶液は、逆転写酵素と、キレート剤と、ＲＮａｓｅ阻
害剤とをさらに含んでもよい。
【０１０８】
増幅反応に取り込むためのヌクレオチドは、典型的にはｄＮＴＰとして提供される。ｄ
ＮＴＰに対する例示的な濃度は、０．１〜０．３ｍＭのｄＡＴＰ、０．１〜０．３ｍＭの
ｄＧＴＰ、０．１〜０．３ｍＭのｄＣＴＰ、０．２〜０．６ｍＭのｄＴＴＰ、０．２〜０
．６ｍＭのｄＵＴＰ、好ましくは約０．２ｍＭのｄＡＴＰ、約０．２ｍＭのｄＧＴＰ、約
０．２ｍＭのｄＣＴＰ、および０．４ｍＭのｄＴＴＰまたはｄＵＴＰである。
【０１０９】
例示的な溶液は、０．１〜０．３ｍＭ、より好ましくは０．２ｍＭのｄＡＴＰ、ｄＧＴ
Ｐ、およびｄＣＴＰ、ならびに０．２〜０．６ｍＭ、より好ましくは０．４ｍＭのｄＵＴ
ＰまたはｄＴＴＰ、および０．３〜０．８Ｕ／μＬのポリメラーゼを有する。いくつかの
組成物において、ポリメラーゼは、ホットスタートＴａｑポリメラーゼである。いくつか
の組成物において、ポリメラーゼは、ＧｏＴａｑ（登録商標）ＭＤｘ  Ｈｏｔ  Ｓｔａｒ
ｔポリメラーゼである。いくつかの組成物はまた、０．１２〜０．２０Ｕ／μＬのＲＮＡ
ａｓｉｎ（商標）ＲＮＡａｓｅ阻害剤も含む。いくつかの組成物はまた、任意に１．５〜
２．０ｍＭのＥＤＴＡも含む。そのような組成物はまた、０．１６〜０．３２Ｍのトレハ
ロースと、１．５〜２．０ｍＭのＥＤＴＡとを含み、ポリメラーゼは、０．３〜０．４５
Ｕ／μＬのＴａｑである。
【０１１０】
本開示は、リアルタイムＰＣＲ反応を含むＰＣＲ反応のための試薬を提供する。（Ｒｅ
ａｌ−ｔｉｍｅ  ＰＣＲ  Ｈａｎｄｂｏｏｋ，Ｌｉｆｅ  Ｔｅｃｈｎｏｌｏｇｉｅｓ（２
０１４）、Ｋｕｔｙａｖｉｎ  ｅｔ  ａｌ（２０００）Ｎｕｃｌｅｉｃ  Ａｃｉｄｓ  Ｒ
ｅｓ．２８：６５５、Ａｆｏｎｉｎａ  ｅｔ  ａｌ（２００２）Ｂｉｏｔｅｃｈｎｉｑｕ
ｅｓ．３２：９４０）。リアルタイムＰＣＲにおいて、マグネシウム塩は、典型的には約
３〜６ｍｍの最終濃度で使用される（Ｒｅａｌ−ｔｉｍｅ  ＰＣＲ  Ｈａｎｄｂｏｏｋ、
上記を参照）。いくつかの実施形態では、本開示は、多重ＰＣＲ反応のための、つまり複
数の標的の増幅および検出のために複数のプライマー対が提供される場合の試薬を提供す
る。本開示は、ＰＣＲ反応のためのプライマーおよびプローブを提供する。プライマーお
よび／またはプローブは、標的ハイブリダイズ配列を含み、非標的ハイブリダイズ配列、
ヌクレオチド類似体、検出可能な部分、および非ヌクレオチドリンカーのうちの１つ以上
をさらに含み得る（例えば、ＷＯ２０１０／１５１５６６およびＷＯ２０１３／１２６７
９３を参照されたい）。いくつかの実施形態では、１つ以上のプライマーまたはプローブ
がハイブリダイゼーションに好適であるか、またはストリンジェントな条件下で標的核酸
、鋳型核酸、もしくは試料核酸にハイブリダイズする。サーモサイクラが入手可能である
（Ａｐｐｌｉｅｄ  Ｂｉｏｓｙｓｔｅｍｓ  ＰｒｏＦｌｅｘ（登録商標）ＰＣＲ  Ｓｙｓ
ｔｅｍおよびＶｅｒｉｔｉ（商標）Ｔｈｅｒｍａｌ  Ｃｙｃｌｅｒ）。ＰＣＲ産物を定量
化するためのゲルスキャナが入手可能である（Ａｇｉｌｅｎｔ（登録商標）２１００  Ｂ
ｉｏａｎａｌｙｚｅｒ（登録商標）、Ｂｉｏ−Ｒａｄ（登録商標）濃度計）。
【０１１１】
溶液の形成後、それは、乾燥前にかなりの期間室温で放置され得る。期間は、乾燥ステ
ップが開始される前の最大８時間、あるいは乾燥ステップが開始される前の最大１時間、
最大２時間、最大４時間、最大６時間、最大１０時間、最大１２時間、または最大１４時
間であってもよい。溶液中に他の試薬、例えばＰＣＲ試薬と一緒に相当量の塩を含むと、
このインキュベーション期間中に望ましくないハイブリダイゼーション生成物および他の
副生成物が生じる可能性がある。そのような望ましくないハイブリダイゼーション生成物
および副生成物は、本質的に無機塩のない、例えば、約５ｍＭ未満の無機塩を有する溶液
を形成することによって低減または排除され得る。
【０１１２】
溶液中に無機塩が存在すると、溶液の他の成分に応じて、以下の望ましくない特性のう
ちの１つ以上生じる可能性がある。核酸は、一緒にハイブリダイズし得、ハイブリダイゼ
ーションは、カリウム、ナトリウム、マンガン、マグネシウム、および／または塩化物な
どの塩からの無機イオンの存在によって刺激される。マンガンおよびマグネシウムのよう
な無機二価陽イオンの存在下でも、ポリメラーゼの加工性などの望ましくない酵素活性が
生じる可能性がある。そのような望ましくない活性は、非ホットスタート酵素およびホッ
トスタート酵素で生じ得る。塩の存在下での核酸ハイブリダイゼーションおよび酵素活性
の結果として、望ましくない副生成物が形成し始める可能性がある。加えて、無機塩は、
吸湿性であり、大気中の水分を固体組成物に引き込み得る。固体組成物の再水和は、貯蔵
安定性、酵素安定性を低減し、さらなる疑似の副生成物の形成を可能にし得る。
【０１１３】
いくつかの実施形態では、固体組成物は、本開示に従った溶液を乾燥させることによっ
て形成される。したがって、本開示に従った固体組成物は、本開示に従った溶液が含有し
得る任意の溶質を含有し得る。例えば、いくつかの実施形態では、固体組成物は、充填剤
を含む。いくつかの実施形態では、固体組成物は、１つ以上の酵素を含む。いくつかの実
施形態では、固体組成物は、分子アッセイを実施するのに有用な少なくとも１つのオリゴ
ヌクレオチドを含む。いくつかの実施形態では、固体組成物は、緩衝剤を含む。いくつか
の実施形態では、固体組成物は、塩を含む。いくつかの実施形態では、固体組成物は、無
機塩を含まない。いくつかの実施形態では、固体組成物は、１つ以上のヌクレオシド三リ
ン酸を含む。いくつかの実施形態では、固体組成物は、１つ以上のデオキシヌクレオシド
三リン酸を含む。いくつかの実施形態では、固体組成物は、ｄＡＴＰ、ｄＧＴＰ、ｄＣＴ
Ｐ、ならびにｄＴＴＰおよびｄＵＴＰのうちの少なくとも１つを含む。いくつかの実施形
態では、固体組成物は、捕捉プローブまたは加水分解プローブを含む。いくつかの実施形
態では、固体組成物は、ＲＮａｓｅ阻害剤を含む。いくつかの実施形態では、固体組成物
は、キレート剤を含む。いくつかの実施形態では、固体組成物は、洗剤を含む。
【０１１４】
いくつかの実施形態では、固体組成物は、核酸合成または増幅アッセイを実施するのに
十分な試薬を含む。いくつかの実施形態では、固体組成物は、ポリメラーゼ；増幅および
検出反応で使用するためのヌクレオチド；有機緩衝剤、例えば、トリス；ならびにトレハ
ロースもしくはラフィノースまたはそれらの組み合わせなどの充填剤のうちの１つ、２つ
、３つ、または全部を含む。溶液はまた、１つ以上の核酸を含んでも含まなくてもよい。
溶液は、逆転写酵素と、キレート剤と、ＲＮａｓｅ阻害剤とをさらに含んでもよい。
【０１１５】
固体組成物は、単回単位投与量（ＳＵＤ）、または任意に２つ以上のＳＵＤを提供する
ための試薬を含有し得る。単回単位用量は、単一以下の試料に増幅および／または検出反
応を実施するのに必要な試薬の集合である。単回単位用量は、液体試薬または乾燥ペレッ
トを指すことができる。本明細書で言及されるように、単回単位用量が、単一の試料に対
して増幅および／または検出反応を実施するために必要な試薬の全部を含む必要がないこ
とは注目すべきことである。単回単位用量は、増幅および／または検出反応を実施するた
めに必要な試薬を欠いていてもよい。同様に、単回単位用量は、増幅および／または検出
反応を実施するのに不十分な量の試薬を含み得る。ほんの一例として、乾燥した単回単位
用量ペレットは、増幅反応を実施するための適切な単位のＴａｑポリメラーゼを含み得る
が、マグネシウムを含まなくてもよい。このような例では、マグネシウムは、例えば、再
構成液体によって、乾燥した単回単位用量ペレットに添加され得る。また、ほんの一例と
して、乾燥した単回単位用量は、増幅反応を実施するのに不十分な量のｄＮＴＰを含み得
る。このような例では、ｄＮＴＰの残りは、例えば、再構成液体によって、乾燥した単回
単位用量ペレットに添加され得る。本開示を把握している当業者は、これらの例が非限定
的であるため、様々な組成を有するＳＵＤおよび乾燥ペレットＳＵＤを容易に生成するで
あろう。本明細書で使用される場合、「単回単位用量を含有する」という語句およびその
他の文法形態は、無制限の量を受け入れず、すなわち、単回単位用量を含有する溶液、組
成物、または凹面（例えば、ウェル）が２つ以上のＳＵＤを含有しない。
【０１１６】
いくつかの実施形態では、固体組成物は、薬学的に活性な薬剤、例えば、１つ以上の単
回単位用量の薬学的に活性な薬剤を含む。いくつかの実施形態では、固体組成物は、薬学
的に許容される塩をさらに含む。
【０１１７】
いくつかの実施形態では、固体組成物は、５ｍＭ以下の無機塩を含む溶液を乾燥させる
ことから作製され、固体組成物の質量に対する無機塩の質量パーセントは、０．３１１％
以下、０．２７７％以下、または０．２４４％以下である。例えば、溶液は、４ｍＭ以下
の無機塩を含むことができ、固体組成物の質量に対する無機塩の質量パーセントは、０．
２４９％以下、０．２２２％以下、または０．１９５％以下である。溶液は、３ｍＭ以下
の無機塩を含むことができ、固体組成物の質量に対する無機塩の質量パーセントは、０．
１８６％以下、０．１６６％以下、または０．１４６％以下である。溶液は、２ｍＭ以下
の無機塩を含むことができ、固体組成物の質量に対する無機塩の質量パーセントは、０．
１２４％以下、０．１１１％以下、または０．０９７％以下である。溶液は、１ｍＭ以下
の無機塩を含むことができ、固体組成物の質量に対する無機塩の質量パーセントは、０．
０６２％以下、０．０５５％以下、または０．０４９％以下である。溶液は、５００μＭ
以下の無機塩を含むことができ、固体組成物の質量に対する無機塩の質量パーセントは、
０．０３１％以下、０．０２８％以下、または０．０２４％以下である。溶液は、５ｍＭ
〜５００μＭの無機塩を含むことができ、固体組成物の質量に対する無機塩の質量パーセ
ントは、約０．３１１％〜０．０２４％である。いくつかの実施形態では、固体組成物の
質量に対する塩化ナトリウムの質量パーセントは、約０％であるか、または固体組成物の
質量に対する塩化カリウムの質量パーセントは、約０％である。上記の固体組成物のうち
の１つの乾燥した単回単位用量を含む槽もまた提供される。２つ以上のウェルを含むマル
チウェルプレートもまた提供され、ウェルの少なくとも２、３、４、５、６、１０、１２
個、または全部が、上記の固体組成物のうちの１つの乾燥した単回単位用量を含む。
【０１１８】
いくつかの実施形態では、再構成液体が使用または提供される。例えば、再構成液体は
、例えば、プラズマ処理表面上の固体組成物に添加され得る。いくつかの実施形態では、
再構成液体は、キットで提供される。
【０１１９】
いくつかの実施形態では、再構成液体は、水を含む。いくつかの実施形態では、再構成
液体は、少なくとも１０重量％、２０重量％、３０重量％、４０重量％、５０重量％、５
５重量％、６０重量％、６５重量％、７０重量％、７５重量％、８０重量％、８５重量％
、９０重量％、９５重量％、９６重量％、９７重量％、９８重量％、９９重量％、９９．
５重量％、９９．６重量％、９９．７重量％、９９．８重量％、または９９．９重量％の
水を含む。いくつかの実施形態では、再構成液体は、少なくとも１０体積％、２０体積％
、３０体積％、４０体積％、５０体積％、５５体積％、６０体積％、６５体積％、７０体
積％、７５体積％、８０体積％、８５体積％、９０体積％、９５体積％、９６体積％、９
７体積％、９８体積％、９９体積％、９９．５体積％、９９．６体積％、９９．７体積％
、９９．８体積％、または９９．９体積％の水を含む。
【０１２０】
いくつかの実施形態では、再構成液体は、極性有機溶媒を含む。いくつかの実施形態で
は、再構成液体は、少なくとも１０重量％、２０重量％、３０重量％、４０重量％、５０
重量％、５５重量％、６０重量％、６５重量％、７０重量％、７５重量％、８０重量％、
８５重量％、９０重量％、９５重量％、９６重量％、９７重量％、９８重量％、９９重量
％、９９．５重量％、９９．６重量％、９９．７重量％、９９．８重量％、または９９．
９重量％の極性有機溶媒を含む。いくつかの実施形態では、再構成液体は、少なくとも１
０体積％、２０体積％、３０体積％、４０体積％、５０体積％、５５体積％、６０体積％
、６５体積％、７０体積％、７５体積％、８０体積％、８５体積％、９０体積％、９５体
積％、９６体積％、９７体積％、９８体積％、９９体積％、９９．５体積％、９９．６体
積％、９９．７体積％、９９．８体積％、または９９．９体積％の極性有機溶媒水を含む
。いくつかの実施形態では、極性有機溶媒は、エタノールを含む。いくつかの実施形態で
は、極性有機溶媒は、イソプロパノールを含む。いくつかの実施形態では、極性有機溶媒
は、ＤＭＳＯを含む。いくつかの実施形態では、極性有機溶媒は、グリセロールを含む。
【０１２１】
いくつかの実施形態では、再構成液体は、非極性有機溶媒を含む。いくつかの実施形態
では、再構成液体は、少なくとも１０重量％、２０重量％、３０重量％、４０重量％、５
０重量％、５５重量％、６０重量％、６５重量％、７０重量％、７５重量％、８０重量％
、８５重量％、９０重量％、９５重量％、９６重量％、９７重量％、９８重量％、９９重
量％、９９．５重量％、９９．６重量％、９９．７重量％、９９．８重量％、または９９
．９重量％の非極性有機溶媒を含む。いくつかの実施形態では、再構成液体は、少なくと
も１０体積％、２０体積％、３０体積％、４０体積％、５０体積％、５５体積％、６０体
積％、６５体積％、７０体積％、７５体積％、８０体積％、８５体積％、９０体積％、９
５体積％、９６体積％、９７体積％、９８体積％、９９体積％、９９．５体積％、９９．
６体積％、９９．７体積％、９９．８体積％、または９９．９体積％の非極性の極性有機
溶媒水を含む。
【０１２２】
いくつかの実施形態では、再構成液体は、充填剤を含む。いくつかの実施形態では、再
構成液体は１つ以上の酵素を含む。いくつかの実施形態では、再構成液体は、分子アッセ
イを実施するのに有用な少なくとも１つのオリゴヌクレオチドを含む。いくつかの実施形
態では、再構成液体は、緩衝剤を含む。いくつかの実施形態では、再構成液体は、塩を含
む。いくつかの実施形態では、再構成液体は、無機塩を含まない。いくつかの実施形態で
は、再構成液体は、１つ以上のヌクレオシド三リン酸を含む。いくつかの実施形態では、
再構成液体は、１つ以上のデオキシヌクレオシド三リン酸を含む。いくつかの実施形態で
は、再構成液体は、ｄＡＴＰ、ｄＧＴＰ、ｄＣＴＰ、ならびにｄＴＴＰおよびｄＵＴＰの
うちの少なくとも１つを含む。
【０１２３】
いくつかの実施形態では、再構成液体は、核酸合成または増幅アッセイを実施するのに
十分な試薬を含む。
【０１２４】
いくつかの実施形態では、再構成液体は、捕捉プローブまたは加水分解プローブを含む
。いくつかの実施形態では、再構成液体は、ＲＮａｓｅ阻害剤を含む。いくつかの実施形
態では、再構成液体は、キレート剤を含む。いくつかの実施形態では、再構成液体は、洗
剤を含む。
【０１２５】
いくつかの実施形態では、再構成液体は、有機溶質を含有しないか、または実質的に含
まない。いくつかの実施形態では、再構成液体は、約１ｋＤａよりも大きい分子量を有す
る有機溶質を含有しないか、または実質的に含まない。いくつかの実施形態では、再構成
液体は、約１０ｋＤａよりも大きい分子量を有する有機溶質を含有しないか、または実質
的に含まない。「実質的に含まない」とは、参照された物質が存在するとしても、それが
適切な目的、例えば再構成、検出、増幅などのために生じる組成物の適合性に影響を及ぼ
さないように十分低いレベルであることを意味する。
【０１２６】
いくつかの実施形態では、再構成液体は、水中３．８〜４．４ｍＭのＭｇＣｌ２、およ
び５０〜８０ｍＭのＫＣｌを提供する。再構成液体は、いくつかある成分の中でも、０．
０１２〜０．０２０％のメチルパラベン、０．００６〜０．０１０％のプロピルパラベン
、および／または０．２６％の無水エタノールを含有することもできる。
【０１２７】
いくつかの実施形態では、再構成液体は、薬学的に許容される塩を含む。いくつかの実
施形態では、再構成液体および固体組成物（例えば、薬学的に活性な薬剤を含む固体組成
物）が組み合わせされて、例えば、単回単位用量の薬学的に活性な薬剤を含む薬学的に許
容される組成物を提供する。
【０１２８】
再構成時間は、固体組成物の意図する使用に好適な水溶液が固体組成物と接触した後、
１秒未満、２秒未満、５秒未満、１０秒未満、１５秒未満、２０秒未満、５０秒未満、ま
たは６０秒（１分）未満であってもよく、接触は、任意に、振とう、タッピングボルテッ
クス、揺動、ピペットチップの出し入れ、または可鍛性バイアルの折り畳みもしくは圧搾
のいずれかによって促進される。例示的な再構成時間は、２〜１０秒である。再構成時間
は、再構成液体を用いて、冷蔵庫温度（約４℃）、約２３℃の周囲温度溶液、または約３
７℃の温溶液のいずれかで測定され得る。典型的には、乾燥組成物は、冷蔵庫から取り出
されており、再構成液体の添加前には冷たい。これらの手順のいずれに対する環境（部屋
）も、典型的には周囲温度または約２１℃〜２５℃、例えば２３℃である。物質が再構成
されると判定される時点は、例えば、物質が完全に可溶化されていると判定される時点で
あってもよい。完全な可溶化は、例えば、濁りがないことまたはシュリーレンパターンが
ないことが完全な可溶化の尺度である場合、目視検査によって判定され得る。あるいは、
完全な可溶化は、光散乱を測定する機械などの光学機器によって判定され得る。
【０１２９】
任意の追加の成分（例えば、溶液中、固体組成物中、または再構成液体中）としては、
ＰＣＲ試薬、界面活性剤、プライマー、プローブ、鋳型、メチルパラベン、およびプロピ
ルパラベンのうちのいずれかが挙げられるが、これらに限定されない。メチルパラベンの
典型的な濃度は、０．０１〜０．０２４重量％、例えば約０．０１６％、あるいは約０．
０１０％、約０．０１４％、約０．０１６％、約０．０２０％、約０．０２４％、または
これらの値によって境界が定められた任意の範囲である。プロピルパラベンの典型的な濃
度範囲は、０．００２〜０．０１６％または０．００８％、あるいは約０．００２％、約
０．００４％、約０．００６％、約０．００８％、約０．０１０％、約０．０１２％、約
０．０１４％、約０．０１６％、またはこれらの値によって境界が定められた任意の範囲
である。
【０１３０】
いくつかの実施形態では、充填剤（例えば、溶液または固体組成物中に存在する）は、
糖類を含む。例示的な充填剤は、トレハロースもしくはラフィノースまたはそれらの組み
合わせである。使用され得る他の充填剤としては、スクロース、マンニトール、トレハロ
ース＋マンニトール、スクロース＋マンニトール、スクロース＋グリシン、およびヒドロ
キシエチルスターチが挙げられる。Ｃｌｅｌａｎｄ  ｅｔ  ａｌ（２００１）Ｊ．Ｐｈａ
ｒｍ．Ｓｃｉ．９０：３１０、Ｍｅｙｅｒ  ｅｔ  ａｌ（２００９）Ｅｕｒ．Ｊ．Ｐｈａ
ｒｍ．Ｓｃｉ．３８：２９、Ｗｅｂｂ  ｅｔ  ａｌ（２００３）Ｊ．Ｐｈａｒｍ．Ｓｃｉ
．９２：７１５、Ｇａｒｚｏｎ  Ｒｏｄｒｉｇｕｅｓ  ｅｔ  ａｌ（２００４）Ｊ．Ｐｈ
ａｒｍ．Ｓｃｉ．９３：６８４、Ｑｉｕ  ｅｔ  ａｌ（２０１２）Ｉｎｔ．Ｊ．Ｐｈａｒ
ｍａｃｅｕｔｉｃａｌｓ．４３７：５１）、Ｖａｎ  Ｄｉｊｋ−Ｗｏｌｔｈｕｉｓ  ｅｔ
ａｌ（１９９７）Ｐｏｌｙｍｅｒ．３８：６２３５  ６２４２を参照されたい。ヒドロ
キシエチルデンプンは、ヘタスターチ、ヘキサスターチ、ペンタスターチ、およびテトラ
スターチとして分類される（例えば、ＣｈｏｗのＷＯ２０１４／０９９１９８を参照され
たい）。充填剤は、好ましくは、０．１６Ｍ〜０．３２Ｍ、あるいは０．０４〜０．１２
Ｍ、０．０８〜０．１６Ｍ、０．１２〜０．２０Ｍ、０．１６〜０．２４Ｍ、０．２０〜
０．２８Ｍ、０．２４〜０．３２Ｍ、０．２８〜０．３６Ｍ、０．３２〜０．４０Ｍ、ま
たは０．０８〜０．２４Ｍなどの前述の範囲の任意の組み合わせの濃度で存在する。いく
つかの実施形態では、充填剤は、スクロース、マンニトール、グリシン、ヒドロキシエチ
ルデンプン、ラフィノース、またはトレハロースのうちの少なくとも１つを含む。いくつ
かの実施形態では、充填剤は、トレハロースを含む。
【０１３１】
いくつかの実施形態では、１つ以上の酵素（例えば、溶液、固体組成物、または再構成
液体中に存在する）は、ＤＮＡポリメラーゼ、ＲＮＡポリメラーゼ、リガーゼ、キナーゼ
、ホスファターゼ、プロテアーゼ、エキソヌクレアーゼ、およびエンドヌクレアーゼのう
ちの少なくとも１つを含む。いくつかの実施形態では、１つ以上の酵素は、熱安定性ＤＮ
Ａポリメラーゼを含む。いくつかの実施形態では、熱安定性ＤＮＡポリメラーゼは、ホッ
トスタート熱安定性ＤＮＡポリメラーゼであるか、または抗体と複合化している。いくつ
かの実施形態では、１つ以上の酵素は、約０．２０Ｕ／ｕＬ〜約０．７２Ｕ／ｕＬまたは
約０．１Ｕ／ｕＬ〜約０．６Ｕ／ｕＬの濃度で前記溶液中に存在するＤＮＡ依存性ポリメ
ラーゼ、逆転写酵素、または他の酵素を含む。
【０１３２】
ＤＮＡポリメラーゼ酵素は、市販されているか、またはユーザによって調製され得る。
ポリメラーゼ酵素の一例は、Ｑｉａｇｅｎから市販されているＴａｑポリメラーゼ（Ｇｅ
ｒｍａｎｔｏｗｎ，ＭＤ、カタログ番号２０１２０３）である。Ｔａｑポリメラーゼの別
の例は、ＧｏＴａｑ（登録商標）Ｇ２  Ｆｌｅｘｉ  ＤＮＡポリメラーゼ（Ｐｒｏｍｅｇ
ａ，Ｍａｄｉｓｏｎ，ＷＩ、カタログ番号Ｍ７８０１）として市販されている。市販され
ている他のＤＮＡポリメラーゼとしては、Ｔｔｈ  ＤＮＡポリメラーゼ（例えば、Ｓｉｇ
ｍａ−Ａｌｄｒｉｃｈ，Ｓｔ．Ｌｏｕｉｓ，ＭＯ、カタログ番号１１４８００２２００１
）、およびＰｈｕｓｉｏｎ（登録商標）Ｈｉｇｈ−Ｆｉｄｅｌｉｔｙ  ＤＮＡポリメラー
ゼ（ＮＥＢ，Ｉｐｓｗｉｃｈ，ＭＡ、カタログ番号Ｍ０５３０Ｓ）などのキメラＤＮＡポ
リメラーゼが挙げられるが、これらに限定されない。ホットスタートＤＮＡポリメラーゼ
酵素も市販されている。例えば、Ｔａｑポリメラーゼは、ＧｏＴａｑ（登録商標）ホット
スタートポリメラーゼ（Ｐｒｏｍｅｇａ、カタログ番号Ｍ５００１）として市販されてい
る。ＧｏＴａｑ（登録商標）ホットスタートポリメラーゼは、抗体媒介ホットスタート酵
素であり、Ｔａｑポリメラーゼは、ポリメラーゼ活性を遮断する抗体に結合している。遮
断抗体は、高熱を使用して変性し、したがってＰＣＲ反応の初期の加熱ステップ中に、抗
体は変性し、ポリメラーゼ活性は回復する。ホットスタート法と共に、様々な抗体、例え
ば、ＴＡＱＳＴＡＲＴ抗体（Ｃｌｏｎｔｅｃｈ  Ｌａｂｏｒａｔｏｒｉｅｓ，Ｍｏｕｎｔ
ａｉｎ  Ｖｉｅｗ，ＣＡ、カタログ番号Ｒ０２８Ａ）が使用され得る。同様に、化学的に
媒介されたホットスタートポリメラーゼを含む他のホットスタートポリメラーゼ酵素が利
用可能である。同等のポリメラーゼおよび抗体は、様々な商業的供給源から入手可能であ
り、あるいはユーザによって調製され得る。
【０１３３】
逆転写酵素は、市販されているか、または使用者によって調製され得る。市販の逆転写
酵素の例としては、ＭＭＬＶ（マロニーマウス白血病ウイルス）逆転写酵素およびＳｕｐ
ｅｒＳｃｒｉｐｔ（登録商標）ＩＩＩ逆転写酵素（例えば、ＴｈｅｒｍｏＦｉｓｈｅｒ  
Ｓｃｉｅｎｔｉｆｉｃ，Ｃａｒｌｓｂａｄ，ＣＡ、カタログ番号２８０２５−０１３およ
び１８０８０−０４４）、ＭＭＬＶ  ＲＴ（Ｓｉｇｍａ−Ａｌｄｒｉｃｈ、カタログ番号
Ｍ１３０２）、ＡＭＶ逆転写酵素（ＮＥＢ，Ｉｐｓｗｉｃｈ，ＭＡ、カタログ番号Ｍ０２
７７Ｓ）、ならびにＧｏＳｃｒｉｐｔ（商標）逆転写酵素（Ｐｒｏｍｅｇａ、カタログ番
号Ａ５０００３）が挙げられるが、これらに限定されない。ＧｏＳｃｒｉｐｔ逆転写酵素
は、逆転写酵素と、定量的ＰＣＲ増幅のために最適化された第１鎖ｃＤＮＡの合成のため
の試薬のセットとを含む。同等の逆転写酵素および試薬は、様々な商業的供給源から入手
可能であり、あるいはユーザによって調製され得る。
【０１３４】
単回単位用量中のＤＮＡポリメラーゼ酵素の例示的濃度は、０．０１〜１．０Ｕ／μＬ
である。例えば、０．３２Ｕ／μＬ、または０．４Ｕ／μＬ、または０．７２Ｕ／μＬ、
または０．３２〜０．４Ｕ／μＬ、または０．４〜０．７２Ｕ／μＬ、または０．０５〜
０．３Ｕ／μＬ、または０．８〜１．０Ｕ／μＬ。１単位のＤＮＡポリメラーゼは、７４
℃、３０分での酸不溶性物質への１０ナノモルのｄＮＴＰの取り込みを触媒するのに必要
とされる酵素の量として定義される。単回単位用量中の逆転写酵素の例示的な濃度は、０
．０１Ｕ／μＬ〜１．０Ｕ／μＬである。１単位の逆転写酵素は、３７℃、１０分での酸
沈殿性物質への１ｎｍｏｌのデオキシヌクレオチドの転移を触媒するのに必要とされる酵
素の量として定義される。
【０１３５】
いくつかの実施形態では、オリゴヌクレオチド（複数可）（例えば、溶液、固体組成物
、または再構成液体中に存在する）は、１つ以上の増幅オリゴマー（例えば、プライマー
、プロモーター−プライマー）、捕捉プローブ、検出プローブＴａｑｍａｎプローブ、陽
性対照鋳型、および陰性対照鋳型である。いくつかの実施形態では、オリゴヌクレオチド
のうちの少なくとも１つは、標識を含む。いくつかの実施形態では、標識は、蛍光、化学
発光、親和性、または放射性標識である。いくつかの実施形態では、標識は、ヌクレオチ
ドでも、リン酸塩でも、炭水化物でも、核酸塩基でもない。
【０１３６】
いくつかの実施形態では、核酸合成または増幅アッセイを実施するのに十分な試薬（例
えば、溶液、固体組成物、または再構成液体中に存在する）は、プライマー、プロモータ
ー−プライマー、またはプライマー対（任意にプロモーター−プライマーを含む）をさら
に含む。いくつかの実施形態では、核酸合成または増幅アッセイを実施するのに十分な試
薬は、緩衝剤、安定剤、保存剤、または他の補助物質のうちの１つ以上をさらに含む。
【０１３７】
いくつかの実施形態では、緩衝剤（例えば、溶液、固体組成物、または再構成液体中に
存在する）は、有機緩衝剤である。いくつかの実施形態では、緩衝剤は、無機緩衝剤であ
る。
【０１３８】
例示的な有機緩衝剤は、トリスである。本開示の溶液、固体組成物、または再構成液体
に取り込まれ得る代替の有機緩衝剤としては、リン酸塩、クエン酸塩、酢酸塩、ＣＨＥＳ
、ヒスチジン、ならびにＨＥＰＥＳ、ＭＥＳ、ＭＯＰＳ、トリシン、およびグリシンアミ
ドなどのグッド緩衝剤、ならびに緩衝剤の組み合わせが挙げられる。他の有機緩衝剤とし
ては、コハク酸塩、クエン酸塩、グルコン酸塩、リン酸塩などが挙げられる。いくつかの
実施形態では、緩衝剤は、約５．５〜約７．０または約６．０〜約７．５のｐＨ範囲、例
えば約６．５のｐＨで有効である。この範囲内でｐＨを制御する緩衝剤の例としては、コ
ハク酸塩（コハク酸ナトリウムなど）、グルコン酸塩、ヒスチジン、クエン酸塩、および
他の有機酸緩衝剤が挙げられる。
【０１３９】
いくつかの実施形態では、キレート剤（例えば、溶液、固体組成物、または再構成液体
中に存在する）は、ＥＤＴＡ（エチレンジアミン四酢酸）、ＥＧＴＡ（エチレングリコー
ル四酢酸）、ＥＤＤＳ（エチレンジアミン−Ｎ，Ｎ’−ジコハク酸）、ＭＧＤＡ（メチル
グリシン二酢酸）、またはＤＴＰＡ（ジエチレントリアミン五酢酸）のうちの１つ以上で
ある。キレート剤の例示的な濃度は、約１ｍＭ〜２．５ｍＭである。
【０１４０】
いくつかの実施形態では、洗剤（例えば、溶液、固体組成物、または再構成液体中に存
在する）は、非イオン性、陽イオン性、陰イオン性、または双性イオン性洗剤である。洗
剤としては、多くの商業ベンダー（例えば、Ｇｅｎｏ  Ｔｅｃｈｎｏｌｏｇｙ，Ｉｎｃ．
，Ｓｔ．Ｌｏｕｉｓ，ＭＯ）から入手可能なイオン性（陽イオン性または陰イオン性）、
非イオン性、および双性イオン性洗剤が挙げられる。例としては、ラウリル硫酸リチウム
、アンプロリウム塩酸塩、塩化ベンザルコニウム、コリンｐ−トルエンスルホナート塩、
ドデシルトリメチルアンモニウムクロリド、３−［（３−コラミドプロピル）ジメチルア
ンモニオ］−１−プロパンスルホナート、エチルヘキサデシルジメチルアンモニウムブロ
ミド、ヘキサデシルピリジニウムクロリド、ヘキサデシルトリメチルアンモニウムクロリ
ド、ドデシル硫酸ナトリウム、ヘキサデシルトリメチルアンモニウムｐ−トルエンスルホ
ナート、ｌｕｖｉｑｕａｔ（商標）、メチルベンゼトニウムクロリド、ミリスチルトリメ
チルアンモニウムブロミド、Ｎ，Ｎ′，Ｎ′−ポリオキシエチレン（１０）−Ｎ−獣脂−
１，３−ジアミノプロパン液体、オキシフェノニウムブロミド、テトラヘプチルアンモニ
ウムブロミド、テトラヘプチルアンモニウムブロミド、テトラキス（デシル）アンモニウ
ムブロミド、トリカプリルイルメチルアンモニウムクロリド、アミドスルホベタイン−１
６、トリドデシルメチルアンモニウムクロリド、トリメチルオクタデシルアンモニウムブ
ロミドＮｏｎｉｄｅｔ  Ｐ−４０（登録商標）、Ｔｗｅｅｎ−２０（登録商標）、Ｔｗｅ
ｅｎ−８０（登録商標）、Ｂｒｉｊ−３５（登録商標）、Ｔｒｉｔｏｎ  Ｘ−１００（登
録商標）が挙げられるが、これらに限定されない。
【０１４１】
ＲＮａｓｅ阻害剤タンパク質は、１：１の比でＲＮａｓｅに非共有結合することによっ
て、ＲＮａｓｅ  Ａファミリーおよびヒト胎盤ＲＮａｓｅを阻害する天然および組換え５
０ｋＤａタンパク質を含む（Ｐｒｏｍｅｇａ  Ｃｏｒｐ．，Ｍａｄｉｓｏｎ，ＷＩ）。Ｂ
ｏｔｅｌｌａ−Ｅｓｔｒａｄａ  ｅｔ  ａｌ（２００１）Ｃａｎｃｅｒ  Ｇｅｎｅ  Ｔｈ
ｅｒ．８：２７８、Ｐｏｌａｋｏｗｓｋｉ  ｅｔ  ａｌ（１９９２）ＥＸＳ．６１：４２
８を参照されたい。ＲＮａｓｅ阻害剤の例示的な濃度は、約０．０４Ｕ／μＬ〜約０．４
Ｕ／μＬである。１単位は、５ｎｇのリボヌクレアーゼＡの活性を５０％阻害するのに必
要とされるＲＮａｓｉｎ（登録商標）リボヌクレアーゼ阻害剤の量として定義される。活
性は、リボヌクレアーゼＡによるシチジン２´，３´−環状一リン酸塩の加水分解の阻害
によって測定される。
【０１４２】
いくつかの実施形態では、乾燥ステップの前に、溶液は、表面上に分注される。いくつ
かの実施形態では、分注ステップの前に、表面は、プラズマ処理されてプラズマ処理表面
を形成する。
【０１４３】
いくつかの実施形態では、固体組成物は、プラズマ処理表面の凹面内にある。いくつか
の実施形態では、固体組成物は、プラズマ処理表面を含む槽内にある。いくつかの実施形
態では、槽は、管を含む。いくつかの実施形態では、槽は、複数のウェルを含むマルチウ
ェルプレートである。いくつかの実施形態では、槽、管、またはウェルの体積は、約４０
μＬ〜約６０ｍＬの範囲である。いくつかの実施形態では、乾燥ステップの後に、固体組
成物は、プラズマ処理表面を含む槽内に密封される。
【０１４４】
上述のように、ある特定の実施形態は、２つ以上のウェルを含むマルチウェルプレート
を伴う。いくつかの実施形態では、２つ以上のウェルは、低い水蒸気透過率、熱伝導率、
光透過性、低い自家蛍光、またはそれらの組み合わせを含む材料から構築された壁を含む
。一態様では、１つ以上のウェルは、円錐形状の壁を含む。いくつかの実施形態では、２
つ以上のウェルは、ウェル内に含まれる反応混合物に対してＰＣＲ増幅反応を実施するた
めのＰＣＲサーマルサイクラに適合するように構成された壁を含む。いくつかの実施形態
では、２つ以上のウェルは、ＰＣＲ、ＴＭＡ、または他の核酸増幅反応を実施するための
デバイスの熱伝導性管受容領域に適合するように構成された壁を含む。いくつかの実施形
態では、２つ以上のウェルは、ウェルのチャンバにアクセスするための開口部を含む。い
くつかの実施形態では、２つ以上のウェルは各々、関連するウェルの開口部を密封するた
めのキャップを含む。いくつかの実施形態では、２つ以上のウェルの各々の開口部は、低
水蒸気透過率の箔であるキャップで密封される。いくつかの実施形態では、２つ以上のウ
ェルの各々の開口部は、低水蒸気透過率のエラストマー物質であるキャップで密封される
。一態様では、マルチウェルプレートは、本明細書に記載される２つ以上のウェルを含み
、２つ以上のウェルの各々のチャンバは、ポリメラーゼ酵素と無機塩とを含む乾燥した単
回単位用量組成物を含み、ペレットの質量に対する無機塩の質量パーセントは、約０．３
１１％〜０．０２４％である。一態様では、マルチウェルプレートは、本明細書に記載さ
れる２つ以上のウェルを含み、２つ以上のウェルの各々のチャンバは、逆転写酵素と無機
塩とを含む乾燥した単回単位用量組成物を含み、ペレットの質量に対する無機塩の質量パ
ーセントは、約０．３１１％〜０．０２４％である。一態様では、マルチウェルプレート
は、本明細書に記載される２つ以上のウェルを含み、２つ以上のウェルの各々のチャンバ
は、ポリメラーゼ酵素と、逆転写酵素と、無機塩とを含む乾燥した単回単位用量組成物を
含み、ペレットの質量に対する無機塩の質量パーセントは、約０．３１１％〜０．０２４
％である。
【０１４５】
本明細書に提供される固体組成物は、上記の再構成液体で再構成され得、次いで１つ以
上のさらなるステップで使用され得る。分析される試料は、再構成の前、再構成と同時、
または再構成の後のいずれかに固体組成物に添加され得る。いくつかの実施形態では、再
構成後の全組成物は、試料と組み合わせるために使用され、ここで、再構成液体／試料の
相対体積は、例えば、約９．９／０．１、９．８／０．２、９．５／０．５、９／１、８
／２、７／３、６／４、５／５などであってもよい。
【０１４６】
例えば、いくつかの実施形態では、核酸が添加され、核酸は、少なくとも１つの核酸修
飾またはハイブリダイゼーション反応を受ける。いくつかの実施形態では、核酸修飾また
はハイブリダイゼーション反応は、核酸合成または増幅を含む。いくつかの態様では、核
酸修飾またはハイブリダイゼーション反応は、プローブを核酸にハイブリダイズして、ハ
イブリダイズされた複合体を形成することを含む。いくつかの実施形態では、方法は、プ
ローブのハイブリダイズされた複合体または核溶解を検出することをさらに含む。
【０１４７】
特に明記しない限り、溶液または再構成組成物中の試薬の濃度は、例えば、０．０％（
省略された試薬）、０．００１％、０．００４％、０．００８％、０．００１２％、０．
００１６％、０．００２０％、０．００３０％、０．００４０％、０．００５０％、０．
００６０％、０．００８０％、０．０１％、０．０２％、０．０４％、０．０６％、０．
１％、０．２％、０．３％、０．４％、０．５％、０．６％、０．８％、１％、２％、３
％、４％、５％などであってもよい。上記の濃度の「約」、上記の濃度未満、上記の濃度
よりも高い、上記の濃度のうちの任意の２つを伴う範囲にある試薬もまた提供される。
【０１４８】
プラズマ処理表面上の固体組成物に再構成液体を添加するなどの上述のステップを実施
するために、自動試料採取ハンドリング装置が使用され得る。いくつかの実施形態では、
試料もしくは鋳型、酵素、または塩などの追加の物質は、再構成と同時に、またはそれに
続いて連続的に自動試料採取ハンドリング装置を使用して添加される。反応混合物が組み
立てられ得、反応は、自動試料採取ハンドリング装置において実施され得る。いくつかの
実施形態では、自動試料採取ハンドリング装置は、同時の複数アッセイ、例えば、ＰＣＲ
反応、転写媒介増幅、および標的捕捉ハイブリダイゼーションを実行することが可能なデ
バイス、例えば、Ｈｏｌｏｇｉｃ（登録商標）Ｐａｎｔｈｅｒ機器（Ｈｏｌｏｇｉｃ，Ｉ
ｎｃ．，ＭＡ）など、ピペッタ、ミキサ、インキュベータ、および洗浄ステーションを有
するロボットデバイスである。
【０１４９】
１つ以上の酵素が存在する場合、無機塩が本質的に存在しないことは、乾燥前のバルク
試薬の貯蔵中、密封前の乾燥組成物の短期貯蔵中、および密封後の長期貯蔵中の酵素活性
の喪失および副生成物の形成を低減し得る。いくつかの実施形態では、全貯蔵後の酵素活
性は、貯蔵開始直前の値の、あるいは最適な条件下で貯蔵された比較試料に対して少なく
とも９９％、少なくとも９８％、少なくとも９５％、少なくとも９０％、少なくとも８０
％、少なくとも７５％、少なくとも７０％、少なくとも６０％、少なくとも５０％、少な
くとも４０％、少なくとも３０％、少なくとも２０％、およびこれらの百分率によって境
界が定められた範囲である。
【０１５０】
組成物の安定性は、例えば活性（すなわち、増幅の速度もしくは収率）または副生成物
の形成から、乾燥生成物の再構成後に評価され得る。安定性の欠如は、乾燥の前または後
のいずれかの貯蔵中の活性の喪失または副生成物の形成に起因し得る。副生成物の活性ま
たは形成は、絶対的または相対的な尺度であり得る。相対的であれば、比較のためのベー
スラインは、乾燥および再構成の前のバルク試薬混合物、または明確に試験用のものとは
異なる対照再構成混合物（例えば、Ｍｇ２＋の塩または別の塩の存在）であり得る。活性
は、リアルタイム増幅率、または増幅産物の最終収率、またはヒット率によって評価され
得る。副生成物は、ゲル電気泳動、ゲルスキャナ、アガロースゲル、キャピラリー電気泳
動などのうちの１つ以上によってアッセイされ得る。
【０１５１】
再構成された増幅混合物の活性（異なる体積の再構成による任意の差に対して必要な場
合は補正される）は、好ましくは、７５、８０、８５、９０、もしくは９５％以内である
か、または乾燥前のバルク試薬の活性と実験誤差内で区別できない。再構成された増幅混
合物内に存在する副生成物（異なる体積の再構成による任意の差に対して必要な場合は補
正される）は、好ましくは、乾燥前にバルク試薬中に存在する元の化合物の２０、１５、
１０、５、４、３、２、もしくは１重量％未満または平均モルである。副生成物が検出限
界未満である場合がある。
【０１５２】
上記の固体組成物は、キットで提供され得る。そのようなキットは、管などの槽内に乾
燥組成物を含むことができる。いくつかの実施形態では、キットは、２つ以上のウェルを
含むマルチウェルプレートを含む。いくつかのキットは、別々の槽で供給される複数の乾
燥組成物を含む。いくつかのキットは、マルチウェルプレートの２つ以上の密封されたウ
ェルメンバー内に複数の乾燥組成物を含む１つ以上のマルチウェルプレートを含む。
【０１５３】
いくつかのキットはまた、乾燥組成物とは別の槽内に再構成液体を含む。再構成液体は
、固体組成物を含む個々の槽にアリコートを分注するためにまとめて提供され得るか、ま
たは１つ以上の単位用量の形態で提供され得、各々は、固体組成物を含む単一の槽と組み
合わせるためのものである。
【０１５４】
任意に、固体組成物を含む槽および再構成液体を含む槽は、脆弱材料によって分離され得
る。脆弱材料は、アルミニウム箔、ポリプロピレン、ポリエステル、ポリ塩化ビニル（Ｐ
ＶＣ）、またはポリエチレンを含み得る。脆弱材料は、１、２、３、またはそれ以上の層
を含むことができ、各層は、同じ組成を有するか、または各層は、ＰＶＣ層と接触する箔
層などの異なる組成を有する。フィルムは、例えば、Ｄｏｗ  Ｃｈｅｍｉｃａｌ  Ｃｏ．
，Ｍｉｄｌａｎｄ，ＭＩまたはＡｒｋｅｍａ，Ｉｎｃ．，Ｋｉｎｇ  ｏｆ  Ｐｒｕｓｓｉ
ａ，ＰＡから入手され得る。脆弱材料の穿孔は、再構成液体が固体（例えば、凍結乾燥）
組成物と接触することを可能にする。
【０１５５】
キットは、サーモサイクラまたはインキュベータに適合するように設計され得、これに
より酵素反応は、キットの区画内で直接起こって、組成物を異なる反応槽またはそのよう
な槽を保持する容器に移す必要性を回避する。
【０１５６】
キットは、例えば、ポート、ホース、セプタムを穿刺する注射器によってキット内の槽
へのユーザ供給試薬の導入のために適合され得るか（ＵＳ２０１４／０１２１５１５およ
びＵＳ２０１４／０２７６３５６を参照されたい）、あるいは核酸鋳型などのユーザ供給
試薬は、ユーザ供給容器中で本開示の試薬と混合され得る。キットの区画のうちの１つ以
上は、空の状態で供給され、混合チャンバとして使用され得る。
【０１５７】
部分的な数が、部分的な数が意味する範囲を指すことを理解して、全ての範囲がその範
囲の全体的および部分的な数を含む。ほんの一例として、あるタイプのオリゴヌクレオチ
ドについての核酸塩基長範囲は、部分的なヌクレオチド単位を指すことに意味がないため
、部分的な数を含まず、温度長範囲は、温度測定が部分的な値であり得るため、部分的な
数を含む。さらに、範囲は、その範囲を定義する値を含む。
【実施例】
【０１５８】
材料および方法
マルチウェルプラスチックカートリッジを、ＩｏＮ  １４０プラズマチャンバなどの市
販のプラズマ処理装置を使用して、空気またはＯ２中でコロナ放電を使用してプラズマ処
理に供した。プラズマ処理の程度を、接触角測定によって監視した。未処理のマイクロプ
レートは、典型的には７５°〜１００°の範囲の接触角を有していた。処理されたマイク
ロプレートは、典型的には１１°〜２２°の範囲の接触角を示した。したがって、プラズ
マ処理は、接触角を約５５°〜９０°減少させた。カートリッジ内のプラスチックの種類
は、環状オレフィンコポリマーであった。
【０１５９】
トレハロース（約０．１５Ｍ〜約０．４０Ｍ）を含有する水溶液を、未処理カートリッ
ジウェルおよびプラズマ処理カートリッジウェルに、１ウェル当たり約１５〜約５０μＬ
の体積で分注した。異なる実験では、溶液を、例えば、上に提供されたパラメータと一致
する異なるサイクル長を使用して凍結乾燥させた。凍結乾燥させる生成物の溶質濃度また
は不安定性などの考慮事項がより長いサイクルを支持しない限り、より高いスループット
を提供するために、より短いサイクルが一般に好ましい。上述のように、最適な凍結乾燥
パラメータは、製品に依存する。凍結乾燥トレハロースの固体組成物（ペレット）を、マ
イクロプレートおよびカートリッジのウェル中に形成した。
【０１６０】
未処理カートリッジウェル表面およびプラズマ処理カートリッジウェル表面へのペレッ
トの付着を、以下のように落下試験を実施することによって評価した。
【０１６１】
試験される各カートリッジを、軟質発泡体上に１２０ｍｍの高さに保持したそり上に配
置した。そりを解放し、発泡体上に落下させた。カートリッジウェルを、ペレットが緩ん
でいないかどうかに関して調べた。これらのステップを、落下２〜４について２４０、３
６０、および４４０ｍｍの連続的に増加する高さで繰り返した。軟質発泡体上への４４０
ｍｍの落下に続いて、軟質発泡体を堅いクッションと交換し、１２０、２４０、３６０、
および４４０ｍｍの高さから落下５〜８を実施し、ペレットが各落下後に緩んでいないか
どうかを観察した。堅いクッション上への４４０ｍｍの落下に続いて、堅いクッションを
硬質表面（コンクリートまたは鋼）と交換し、式ｈ＝２０ｍｍ×（ｄ−８）（式中、ｄは
、落下数である）に従って高さｈで落下９〜３２を実施した。例えば、落下９は、２０ｍ
ｍから、落下１０は４０ｍｍからなどであり、最大で落下３２は、４８０ｍｍからであっ
た。落下３３〜９８は各々、４８０ｍｍから硬質表面上に実施した。
【０１６２】
実施例１．短期サイクル凍結乾燥を用いたプラズマ処理
図２Ａ〜２Ｂは、棒グラフを示し、各棒の高さは、未処理カートリッジ（「なし」）ま
たは４つのプラズマ処理カートリッジ（「プラズマ１」〜「プラズマ４」）の１２個のウ
ェルの各々の中でペレットが緩む前に耐えた落下の数を示す。凍結乾燥をより短いサイク
ルを使用して実施した。
【０１６３】
ウェルへのペレットの付着は、プラズマ処理ウェルにおいて著しく強かった。未処理ウ
ェルでは、ペレットは、平均９．１回の落下後に緩くなり、一方、プラズマ１、プラズマ
２、プラズマ３、およびプラズマ４処理ウェルに関しては、ペレットは、それぞれ平均４
６．６、６２．２、５５．７、および５９．４回の落下後に緩んだ。
【０１６４】
空気およびＯ２中でプラズマ処理したカートリッジを使用して、追加の実験を実施した
。これらの実験において、ペレットは、７４〜８８回の平均落下数の後に緩んだ（データ
は図示せず）。
【０１６５】
実施例２．長期サイクル凍結乾燥を用いたプラズマ処理
図３Ａ〜３Ｂは、棒グラフを示し、各棒の高さは、未処理カートリッジ（「なし」）、
空気中でプラズマ処理した２つのカートリッジ（「プラズマ／空気１」および「プラズマ
／空気２」）、ならびにＯ２中でプラズマ処理した２つのカートリッジ（「プラズマ／Ｏ
２１」および「プラズマ／Ｏ２２」）の１２個のウェルの各々の中でペレットが緩む前に
耐えた落下の数を示す。凍結乾燥をより長いサイクルを使用して実施した。
【０１６６】
ウェルへのペレットの付着は、プラズマ処理ウェルにおいて著しく強かった。未処理ウ
ェルでは、ペレットは、平均１２．５回の落下後に緩くなり、一方、プラズマ／空気１、
プラズマ／空気２、プラズマ／Ｏ２１、プラズマ／Ｏ２２処理ウェルに関しては、ペレッ
トは、それぞれ平均３６．９、４８．２、３８．８、および４５．０回の落下後に緩んだ
。
【０１６７】
実施例１にあるようなプラズマ１、プラズマ２、プラズマ３、およびプラズマ４処理に
供されたカートリッジを、トレハロース溶液で充填し、より長いサイクルを使用して凍結
乾燥させた。ペレットは、３５〜４１回の平均落下数の後に緩んだ（データは図示せず）
。
【０１６８】
実施例３．プラズマ処理カートリッジの貯蔵
カートリッジを実施例１にあるようなプラズマ処理に供した。プラズマ処理後、カート
リッジを１日、３０日、９０日、または１００日のいずれかの期間、酸素含有環境中で貯
蔵した。貯蔵期間の終わりに、カートリッジ内のウェルを糖類含有ＰＣＲ反応溶液で充填
し、溶液を凍結乾燥させた。プラズマ処理されなかった対照カートリッジもまた糖類溶液
で充填し、凍結乾燥させ、１日、３０日、９０日、および１００日の各々にわたって貯蔵
した。
【０１６９】
凍結乾燥後、凍結乾燥物質を含むカートリッジの全てを、出荷および取り扱い条件を模
倣するように設計されているパッケージ性能試験に供した。実施した個々の試験は、（ｉ
）初期手動取り扱い、ＡＳＴＭ  Ｄ５２７６−９８規格、スケジュールＡ、（ｉｉ）積み
重ね振動、ＡＳＴＭ  Ｄ４７２８−０６規格、スケジュールＤ、（ｉｉｉ）ばら荷振動、
ＡＳＴＭ  Ｄ９９９−０８規格、スケジュールＦ、（ｉｖ）集中衝撃、ＡＳＴＭ  Ｄ６３
４４−０４規格、スケジュールＪ、および（ｖ）最終手動取り扱い、ＡＳＴＭ  Ｄ５２７
６−９８規格、スケジュールＡであった。試験後、凍結乾燥物質を含有する各カートリッ
ジを目視検査し、ＰＣＲアッセイで使用した（再構成し、標的核酸と組み合わせ、増幅お
よび検出条件に供した）。貯蔵時間に関係なく、プラズマ処理カートリッジは、カートリ
ッジウェルの底部に付着した均一形状の乾燥組成物を含み、一方で、未処理カートリッジ
は、破壊および移動した組成物を含んだ。プラズマ処理カートリッジ内の物質に関するＰ
ＣＲアッセイ性能は、いかなる偽陰性もなく強固で均一な標的検出結果を提供したが、未
処理カートリッジ内の物質に関するＰＣＲアッセイ性能は一貫性がなく、多くの偽陰性を
含んでいた。
【０１７０】
少なくとも１００日間、不活性雰囲気中で貯蔵される（酸素の存在下で貯蔵されるなど
）プラズマ処理カートリッジは、出荷および流通後も無傷で完全に活性な凍結乾燥物質を
保持するが、未処理カートリッジはそうではない。
【０１７１】
本開示は、本開示の組成物、試薬、方法、診断法、実験室データなどによって限定され
ず、本開示は、本明細書に開示される任意の特定の、または好ましい実施形態によって限
定されない。
＊＊＊＊＊＊＊＊＊＊＊＊＊＊＊＊＊＊＊＊＊＊＊＊＊＊＊
【図１】
2020200475.tif 000002
【図２Ａ】
2020200475.tif 000003
【図２Ｂ】
2020200475.tif 000004
【図３Ａ】
2020200475.tif 000005
【図３Ｂ】
2020200475.tif 000006
【外国語明細書】
2020200475000001.pdf